(57)【要約】  内周と外周とを有する基板上に、３以上の情報記録層と、前記情報記録層と情報記録層との間に配置された樹脂層とを有する多層情報記録媒体であって、隣り合う２つの樹脂層の組み合わせの少なくとも１つの組み合わせにおいて、樹脂層の内周側端部の位置が互いに異なり、少なくとも１つの樹脂層の内周側端部が、別の樹脂層によって覆われている多層情報記録媒体。
2008059676.tif 000002
【特許請求の範囲】
【請求項１】
内周と外周とを有する基板上に、３以上の情報記録層と、前記情報記録層と情報記録層との間に配置された樹脂層とを有する多層情報記録媒体であって、
隣り合う２つの樹脂層の組み合わせの少なくとも１つの組み合わせにおいて、樹脂層の内周側端部の位置が互いに異なり、
少なくとも１つの樹脂層の内周側端部が、別の樹脂層によって覆われている
多層情報記録媒体。
【請求項２】
前記隣り合う２つの樹脂層の組み合わせの各々において、内周側端部の位置が、互いに異なる請求項１に記載の多層情報記録媒体。
【請求項３】
基板に最も近い樹脂層の内周側端部の位置が、それ以外の樹脂層の内周側端部の位置よりも、基板の内周に近い、請求項１に記載の多層情報記録媒体。
【請求項４】
全ての樹脂層の内周側端部が前記基板に接している請求項１に記載の多層情報記録媒体。
【請求項５】
基板上に順に第１樹脂層〜第ｍ樹脂層が形成されており（ｍは情報記録層の数より１少ない整数）、第１樹脂層の内周側端部と第ｍ樹脂層の内周側端部のみが基板に接している、請求項１に記載の多層情報記録媒体。
【請求項６】
全ての樹脂層の内周側端部の位置がそれぞれ異なる、請求項１に記載の多層情報記録媒体。
【請求項７】
情報記録層の数が４以上であり、少なくとも２つの樹脂層の内周側端部の位置が同じである、請求項１に記載の多層情報記録媒体。
【請求項８】
前記隣り合う２つの樹脂層の組み合わせにおいて、樹脂層の内周部が互いに接している請求項１に記載の多層情報記録媒体。
【請求項９】
内周と外周とを有する基板上に、３以上の情報記録層と、前記情報記録層と情報記録層との間に配置された樹脂層とを有する多層情報記録媒体の製造方法であって、
各樹脂層を形成することが
（ｉ）放射線硬化性樹脂を情報記録層上に塗布して未硬化の樹脂層を形成する工程、
（ii）前記未硬化の樹脂層と、表面に凹凸を有する転写基板とを貼り合せる工程、
（iii）前記未硬化の樹脂層を硬化する工程、および
（iv）前記硬化した樹脂層の表面から転写基板を剥離する工程を
含み、
工程（ｉ）〜（iv）を、（Ｍ−１）回（Ｍは情報記録層の数）繰り返し、
少なくとも１回の工程（ｉ）において、未硬化の樹脂層の内周側端部が、前回形成した樹脂層の内周側端部とは異なるように、放射線硬化性樹脂を塗布する領域を選択し、
少なくとも１回の工程（ｉ）において、未硬化の樹脂層の内周側端部が、前回形成した樹脂層の内周側端部を覆うように、放射線硬化性樹脂を塗布する領域を選択する、
多層情報記録媒体の製造方法。
【請求項１０】
工程（ｉ）を、スクリーン印刷法またはインクジェット法により実施する、請求項９に記載の製造方法。
【請求項１１】
各工程（ｉ）において、放射線硬化性樹脂を塗布する領域を、その内周側端部が基板に接するように選択する、請求項９に記載の製造方法。
【請求項１２】
前記転写基板の厚みが、前記基板の厚みより小さく、かつ、
前記転写基板を剥離する工程（iv）において、転写基板を反らせながら樹脂層の表面から剥離する、請求項９に記載の製造方法。
【請求項１３】
放射線硬化性樹脂が紫外線硬化性樹脂であり、
前記未硬化の樹脂層を硬化する工程（iii）において、
前記未硬化の樹脂層を紫外線を照射することにより硬化し、
前記情報記録層が形成されている領域（以下、「情報記録領域」と呼ぶ）よりも内周側の領域及び／又は前記情報記録領域よりも外周側の領域に位置する樹脂層への紫外線照射量を、前記情報記録領域に位置する樹脂層への紫外線照射量よりも少なくする、請求項９に記載の製造方法。
【請求項１４】
放射線硬化性樹脂が紫外線硬化性樹脂であり、前記未硬化の樹脂層を硬化する工程（iii）が、
樹脂層の積層数が異なる部分を、それぞれ異なる紫外線照射領域として規定し、
樹脂層の積層数がより少ない紫外線照射領域に、紫外線照射量をより少なくして、紫外線を照射すること
を含む、請求項９に記載の製造方法。
【発明の詳細な説明】
【技術分野】
【０００１】
本発明は、再生、または記録／再生を目的とした情報記録媒体とその製造方法に関する。
【背景技術】
【０００２】
近年、情報機器および映像音響機器等が必要とする情報量が増加するに伴って、データアクセスの容易さ、大容量データの蓄積、機器の小型化に有利な光ディスクなどの情報記録媒体が注目され、その記録密度はより高くなっている。例えば、光ディスクの高密度化の手段として、レーザ光の波長が約４００ｎｍであり、レーザ光を絞り込むための集光レンズが０．８５の開口数（ＮＡ）を有する、記録再生ヘッドが既に用いられている。そのような記録再生ヘッドを用いると、単層の情報記録媒体（記録層を１層有する媒体）においては２５ＧＢ程度の容量が達成される。また、２つの記録層を有する光記録媒体においては、５０ＧＢ程度の容量を達成することが可能である。さらに容量を向上させるために、３以上の記録層を有する多層情報記録媒体も提案されている。【０００３】
図２は、従来の多層情報記録媒体の一部を示す断面図である。この図は、ディスク形状の記録媒体を直径に沿って切断した断面を示し、図中、基板３０１の左端が内周に相当し、右端が外周に相当する。この多層情報記録媒体は、片面に凹凸形状からなるピットおよび／もしくは案内溝等が転写により形成された第１基板２０１（この基板を、「信号基板」と呼ぶこともある）と、第１基板２０１の信号が形成された面上に配置された第１薄膜層２０２と、第１薄膜層２０２の上に形成された樹脂層２０３と、樹脂層２０３の上に形成された第２薄膜層２０４と、第２薄膜層２０４の上に、透明層２０５により貼り合わせられた透明基板２０６とから構成されている。樹脂層２０３の第１薄膜層２０２と接着している面とは反対の面（即ち、第２薄膜層２０４が形成されている面）には、凹凸形状からなるピットおよび／または案内溝が転写により形成されている。本明細書において、同じ機能の層が複数設けられているときには、基板２０１から見て近い層から順に、「第１」、「第２」、・・・を付与している。【０００４】
樹脂層２０３は、第１薄膜層２０２と第２薄膜層２０４とを光学的に分離して、一方の薄膜層に情報を記録または再生している間、他方の薄膜層に情報が記録されず、また他方の薄膜層に記録した信号が再生されないことを確保している。また、樹脂層２０３に形成されたピットおよび／または案内溝は、第２薄膜層２０４に情報を記録し又は第２薄膜層２０４から情報を再生する際に記録および／または再生光をガイドする役割をする。よって、樹脂層２０３は、中間層または第２信号基板とも呼べるものである。【０００５】
第１基板は、スタンパを用いて、射出圧縮成形等により作製する。第１基板の一方の面には、スタンパ表面の凹凸形状が転写されて、ピットおよび／または案内溝等が形成されている。ピットおよび／または案内溝は、信号の記録再生において基本的な情報を与えるものであり、これらが形成された面は、情報面と呼べる。また、ピットおよび／または案内溝を有する基板は、「信号基板」とも呼ばれる。情報面の上に、記録膜および反射膜を含む、光による記録再生を可能にする特性を有する薄膜層が形成されて、情報記録層が形成されている。第１基板２０１の厚みは１．１ｍｍ程度である。【０００６】
第１薄膜層２０２および第２薄膜層２０４は、前述のとおり、記録膜および反射膜等を含んでおり、スパッタリングや蒸着等の方法により形成されている。第２基板（樹脂層）２０３は、光硬化性樹脂のスピンコート法またはスクリーン印刷法などによって形成される。ピットおよび／または案内溝は、光硬化性樹脂を硬化させる前に、形成すべきピットおよび／または案内溝に対応した凹凸形状を表面に有する転写基板）を、凹凸形状を有する面を光硬化性樹脂と接するように貼り合わせて形成する。ピットおよび／または案内溝の形成は、光硬化性樹脂を光照射により硬化させた後、転写基板を光硬化性樹脂から剥離することによって完了する。【０００７】
図示する光記録媒体への情報の記録または光記録媒体からの情報の再生は、透明基板２０６の側から記録または再生用のレーザ光を入射させて、実施する。したがって、透明基板２０６は、記録再生光に対して透明な（透過性を有する）材料からなる。また、透明基板２０６は、開口数の大きい記録再生ヘッドを用いることができるように、厚みが０．１ｍｍ程度である。透明層２０５は、２枚の基板２０６および２０７を互いに接着するために設けられており、光硬化性樹脂または感圧接着剤等の接着剤で形成されている。透明基板２０６と透明層２０５を合わせてカバー層ともいう。透明基板を貼り付けることなく透明な樹脂層のみでカバー層を形成することもある。【０００８】
このような多層情報記録媒体においては、前述のように、樹脂層およびカバー層は、紫外線硬化性樹脂などを用いてスピンコート法により、一般に形成される（例えば特許文献１）。【０００９】
特許文献２には、情報保持層を２以上有し、円環状であって内周縁に環状凸部を有する少なくとも２層の樹脂層を有し、これら各樹脂層が、他の樹脂層の前記環状凸部を被覆しないように階段状に積層されている光情報媒体が開示されている。順にスピンコート法で樹脂層を形成する場合において、階段状に樹脂層を形成すると、環状凸部によって、樹脂の流延が妨げられず、また、ディスク内周付近における樹脂層の厚さが設計値から外れない。
【特許文献１】特開２００５−２５９３３１号公報
【特許文献２】特開２００２−６３７３６号公報
【発明の開示】
【発明が解決しようとする課題】
【００１０】
より高密度な記録媒体を実現するために、情報記録層を積層し、多層情報記録媒体（例えば、多層光ディスク）にすることが提案されている。この媒体を実現するには、情報記録層を分離する樹脂層を複数積層しなければならない。情報記録層の数が多いほど、その間に形成すべき樹脂層の数も多くなる。その結果、樹脂層の形成に伴う、転写基板の剥離工程において、樹脂層が転写基板に付着して、転写基板とともに樹脂層まで剥離する頻度が高くなる。樹脂層が転写基板側に付着すると、情報記録層を適切に分離できないため、その上下に位置する２つの情報記録層それぞれに信号を書き込むことができなくなってしまう。【００１１】
このように、従来の図２に示すような２層記録媒体の樹脂層の形成プロセスをそのまま多層記録媒体の樹脂層形成プロセスに応用すると、上記のような問題が発生しやすい。特に、多層情報記録媒体の製造では、樹脂層を形成するプロセスが２回以上含まれるため、層の数が多いほど、良品を作製することが困難になり、生産性が低下する。【００１２】
本発明は、前記従来の課題を解決するもので、かつ、情報記録層間に形成される樹脂層に、案内溝および／またはピットが全面にわたって均一に形成された、多層情報記録媒体及びその製造方法を提供することを目的とする。
【課題を解決するための手段】
【００１３】
前記従来の課題を解決するために、本発明は、内周と外周とを有する基板上に、３以上の情報記録層と、前記情報記録層と情報記録層との間に配置された樹脂層とを有する多層情報記録媒体であって、
隣り合う２つの樹脂層の組み合わせの少なくとも１つの組み合わせにおいて、樹脂層の内周側端部の位置が互いに異なり、
少なくとも１つの樹脂層の内周側端部が、別の樹脂層によって覆われている
多層情報記録媒体を提供する。【００１４】
ここで、「内周と外周とを有する基板」とは、中央に開口を有する基板を指し、一般的には環形（またはドーナッツ形）である。「情報記録層」とは、光の照射により情報の記録および再生を可能にする一または複数の層を指し、記録層および必要に応じて設けられる、反射膜、記録層を保護する保護膜、および保護膜と記録層との間に位置する界面層、反射膜と記録層の間に形成される光吸収補正層等を含む。換言すれば、情報記録層とは、２つの樹脂層の間に配置される層全体を指す。「樹脂層」は、先に図２に関連して説明したように、１つの情報記録層を、隣り合う情報記録層から分離して、例えば、１つの情報記録層に情報を記録しているときに、他の情報記録層に情報を記録しないようにする。「樹脂層の内周側端部」は、樹脂層の輪郭のうち、最も内側に位置する部分をいい、樹脂層が環形に形成されるときには、樹脂層の内周を規定する線に相当する。【００１５】
本発明の多層情報記録媒体（以下、単に「記録媒体」または「媒体」とも呼ぶ）は、樹脂層の内周側端部の位置を、基板の半径方向において、すべて同じにせず、かつ、少なくとも１つの樹脂層の内周側端部が、別の樹脂層によって覆われていることを特徴とする。転写基板の剥離を媒体の内周側から実施する場合において、樹脂層の内周側端部がすべて同じ位置になると、繰り返し樹脂層を形成している間に、転写基板の剥離のときに加わる力が同じ箇所に集中する。本発明の記録媒体は、この力の集中を避けるために、少なくとも１つの樹脂層の内周側端部の位置をずらしている。さらに、本発明の記録媒体においては、少なくとも１つの樹脂層（便宜的にＡと呼ぶ）の内周側端部を、その後に形成される他の樹脂層（便宜的にＢと呼ぶ）が覆っていて、樹脂層Ｂに密着させた転写基板を剥離する際に、樹脂層Ａが受ける力をより小さくしている。【００１６】
本発明はまた、内周と外周とを有する基板上に、３以上の情報記録層と、前記情報記録層と情報記録層との間に配置された樹脂層とを有する多層情報記録媒体の製造方法であって、
各樹脂層を形成することが
（ｉ）放射線硬化性樹脂を情報記録層上に塗布して未硬化の樹脂層を形成する工程、
（ii）前記未硬化の樹脂層と、表面に凹凸を有する転写基板とを貼り合せる工程、
（iii）前記未硬化の樹脂層を硬化する工程、および
（iv）前記硬化した樹脂層の表面から転写基板を剥離する工程を
含み、
工程（ｉ）〜（iv）を、（Ｍ−１）回（Ｍは情報記録層の数）繰り返し、
少なくとも１回の工程（ｉ）において、未硬化の樹脂層の内周側端部が、前回形成した樹脂層の内周側端部とは異なるように、放射線硬化性樹脂を塗布する領域を選択し、
少なくとも１回の工程（ｉ）において、未硬化の樹脂層の内周側端部が、前回形成した樹脂層の内周側端部を覆うように、放射線硬化性樹脂を塗布する領域を選択する、
多層情報記録媒体の製造方法を提供する。この製造方法によれば、前記本発明の記録媒体を製造することができる。【００１７】
本発明の製造方法において使用する放射線硬化性樹脂は、放射線が照射されると、硬化する樹脂であり、放射線は、例えば、紫外線、可視光線、電子線、およびＸ線である。放射線硬化性樹脂は、紫外線硬化性樹脂であることがコストおよび工程性の点から好ましい。紫外線硬化性樹脂は、具体的には、アクリル系樹脂である。【００１８】
樹脂層の形成が数回実施される間に、任意の１回もしくは数回、または全ての工程（ｉ）において、放射線硬化性樹脂の塗布は、樹脂が基板に接するように、樹脂の塗布領域を適切に選択して実施してよい。それにより、第ｋ樹脂層が、第ｋ−１層（ｋは２以上の整数）の樹脂層の内周側端部を覆う構成を得ることができる。
【発明の効果】
【００１９】
本発明の多層情報記録媒体及びその製造方法によれば、中間層である樹脂層を形成するときに、樹脂層に密着させた転写基板剥離に起因する、不良品の数または割合を低下させることができる。よって、本発明は、良好に大量の情報の記録再生を行うことができる多層情報記録媒体を、安定して製造することを可能にする。
【図面の簡単な説明】
【００２０】
【図１】（Ａ）〜（Ｃ）は、本発明の記録媒体の製造過程において転写基板を剥離する工程を示す断面図である。
【図２】従来の多層情報記録媒体を示す断面図である。
【図３】本発明の多層情報記録媒体を示す断面図である。
【図４】（Ａ）〜（Ｄ）はスクリーン印刷による樹脂層の形成方法を示す断面図である。
【図５】（Ａ）はスクリーンの模式図であり、（Ｂ）は樹脂塗布領域を示す平面図である。
【図６】（Ａ）〜（Ｄ）は、樹脂層と転写基板とを貼り合わせる工程を示す断面図である。
【図７】（Ａ）および（Ｂ）はそれぞれ、本発明の多層情報記録媒体の一例を示す断面図である。
【図８】（Ａ）は情報記録領域と非情報記録領域を示す断面図であり、（Ｂ）は、情報記録領域と非情報記録領域を示す平面図である。
【図９】（Ａ）は紫外線を照射する工程を示す模式図であり、（Ｂ）はマスクを設けた転写基板を示す俯瞰図である。
【図１０】（Ａ）〜（Ｆ）はそれぞれ、本発明の記録媒体の一例を示す断面図である。
【図１１】本発明の記録媒体の一例を示す断面図と、その媒体の非情報記録領域において、紫外線照射量の異なる領域が存在することを示すグラフを示す。
【符号の説明】
【００２１】
１０１    テーブル
１０２    基板
１０３    吸着アーム
１０４    紫外線硬化性樹脂
１０５    転写基板
１０６    剥離ピン
１０７    エアブロー突出口
１０８    内周側端部
１０９    紫外線硬化性樹脂
１１０    内周側端部
１１１    転写基板
１１２    基板
【発明を実施するための最良の形態】
【００２２】
以下、本発明の実施の形態を、図面を参照して説明する。以下においては、レーザ光の照射によって記録再生を実施するディスク形状の情報記録媒体の構造例を説明する。尤も、本発明の媒体の形状は、ディスクの形状に限定されない。【００２３】
［ディスク作製のプロセスおよび樹脂層の基本的な構成］
最初に、多層情報記録媒体およびその作製方法の一例として、４層ディスクを作成するプロセスを説明する。本発明の記録媒体における樹脂層の基本的な構成もまた、ここで説明する。【００２４】
図３は、本発明の４層情報記録媒体の一例の断面図である。４層情報記媒体は、片面に凹凸で形成されたピットおよび／または案内溝等が形成された基板３０１と、基板３０１のピット等が形成された面に配置された第１情報記録層３０２と、第１情報記録層３２０上に配置された第１樹脂層３０３と、第１樹脂層３０３上に配置された第２情報記録層３０４と、第２情報記録層３０４上に配置された第２樹脂層３０５と、第２樹脂層３０５上に配置された第３情報記録層３０６と、第３情報記録層３０６上に形成された第３樹脂層３０７と、第３樹脂層３０７上に配置された第４情報記録層３０８と、第４情報記録層３０８上に配置された透明層３０９とを含んでいる。第１樹脂層３０３、第２樹脂層３０５、および第３樹脂層３０７はそれぞれ、基板３０１から遠い側の面にピットおよび／または案内溝を構成する凹凸を有し、この凹凸を有する面に、それぞれ、第２情報記録層３０４、第３情報記録層３０６、および第４情報記録層３０７が形成されている。基板３０１は、記録および／または再生に必要な情報を有するため、「信号基板」とも呼ばれる。また、情報記録層は、通常、複数の薄い膜が積層されて成るから、「薄膜層」とも呼ばれる。【００２５】
基板３０１は、情報記録媒体の反りを防止し、良好な剛性を確保し、さらにはＣＤやＤＶＤ、Ｂｌｕ−ｒａｙ Ｄｉｓｃなどの光ディスクと厚み互換を有するような、寸法および材料を選択して形成される。具体的には、基板３０１は、外径φ１２０ｍｍ、厚さが１．０〜１．１ｍｍ程度のポリカーボネートやアクリル系樹脂の円板から形成されている。基板３０１は、常套のスタンパを用いて、射出圧縮成形等の樹脂成形によって作製され、片面に、凹凸で形成されたピットや案内溝等が形成されている。基板の中心部には、プレーヤが信号を記録再生する際に、ディスクを保持して回転させるために用いる直径φ１５ｍｍの中心穴が設けられている（図示せず）。この中心穴の直径が、基板の内周を規定することとなる。ここでは、基板３０１として、ポリカーボネートを用いて作製されたものを使用するプロセスを説明する。【００２６】
基板３０１の上には、放射線硬化性樹脂からなる樹脂層３０３、３０５、３０７や透明層３０９が積層形成される。放射線硬化性樹脂として、この形態においては紫外線硬化性樹脂を使用している。他の形態においても同様である。尤も、他の放射線硬化性樹脂で樹脂層を形成してよいことはいうまでもない。【００２７】
樹脂材料が積層されると、積層後の情報記録媒体においては、紫外線硬化性樹脂特有の光硬化収縮によって、基板３０１の情報面側が凹となる、反りが発生する傾向にある。従って、基板３０１は、予め情報面側が全体として凸となる反りを有するように形成され、それにより樹脂層３０３、３０５、３０７および透明層３０９の積層後の情報記録媒体の反りが平坦になるようにしている。【００２８】
第１情報記録層３０２は、例えば、Ａｌ、Ａｇ、Ａｕ、Ｓｉ、ＳｉＯ２などの金属、半導体または誘電体を、スパッタリングまたは蒸着等の方法を用いて、形成する。第２情報記録層３０４、第３情報記録層３０４および第４情報記録層３０６についても同様である。情報記録層として形成すべき層は、媒体の種類によって異なり、具体的な層の形成方法は既に良く知られているので、ここではその詳細な説明を省略する。【００２９】
第１樹脂層３０３は、記録再生光に対して、実質的に透明（透過性を有する）であり、紫外線硬化性樹脂から形成されている。紫外線硬化性樹脂は、硬化光波長を紫外線帯域に設けられた樹脂である。紫外線硬化性樹脂は、紫外線以外の波長の光を照射しても硬化せず、任意に紫外線を照射することにより硬化させることができるので、樹脂層の形状制御において都合よく用いられる。第２樹脂層３０５および第３樹脂層３０７も、上記第１樹脂層３０３と同様の材料で形成されている。具体的には、上記において例示した紫外線硬化性樹脂を使用できる。【００３０】
透明層３０９は、記録再生光に対してほぼ透明（透過性を有する）で、例えばアクリルを主成分とした紫外線硬化性樹脂から形成されている。透明層３０９は、紫外線硬化性樹脂を、液体の形態で、第４情報記録層３０８の上に塗布した後、紫外線を照射して形成する。透明層３０９は、各樹脂層や情報記録層を覆い、内周部と外周部において基板と接着するように形成されている。【００３１】
次に、より具体的な樹脂層の形成方法について説明する。
樹脂層は、おおよそ１０μｍの厚さを有するように形成される。尤も、樹脂層の厚さはこれに限定されず、５〜３０μｍであってよい。そのような厚さの樹脂を塗布する方法として、スピンコート法、スクリーン印刷法、オフセット印刷法、およびインクジェット法などが適している。本発明の媒体の製造においては、樹脂が均一に塗布可能であり、樹脂中に気泡などの欠陥が混入しない方法であれば、樹脂の塗布方法は特に限定されない。【００３２】
本発明の媒体の作製においては、後述するように、樹脂層の内周側端部の位置を制御することが要求される。スピンコート法は、内周側に樹脂を滴下し、遠心力によって、樹脂を塗布する工法である。このスピンコート法を採用する場合、樹脂を滴下する位置を適宜選択することによって、樹脂層の内周側端部の位置を制御することができる。また、オフセット印刷法およびインクジェット法を採用する場合には、樹脂の内周の滴下位置を任意に設計することにより、内周側端部の位置を制御することが可能である。【００３３】
ここでは、樹脂の塗布方法の好ましい例として、スクリーン印刷法を、図４を用いて詳細に説明する。スクリーン印刷法は次の手順に従って実施される。第１情報記録層４０２が形成された基板４０１を、真空吸着などの手段によって、ターンテーブル４０３に固定する（図４（Ａ）参照）。この上に、スクリーン枠４０６を固定し、紫外線硬化性樹脂４０５を、穴が開いていない部分に供給し、スクレッパー４０７を摺動することにより、スクリーン４０４部に樹脂を充填する（図４（Ｂ）参照）。【００３４】
次に、スキージ固定治具４０８により固定されたスキージ４０９が、スクリーン４０４の上部に圧力を加えながら、摺動することによって孔板（スクリーン）４０４の開口部から紫外線硬化性樹脂４０５を基板４０１へ押し出す（図４（Ｃ）参照）。この動作、いわゆるスクリーン印刷によって、樹脂が塗布された基板を得ることができる（図４（Ｄ）参照）。また、基板４０１を入れ替え、図４（Ａ）〜（Ｄ）に示す工程を繰り返すことによって、表面に樹脂が塗布された基板を、複数得ることができる。【００３５】
図５を参照して、スクリーン５０４の形状と形成される樹脂層の範囲を説明する。  所定の領域にのみ樹脂層を形成するため、スクリーン５０４は、樹脂層を形成すべきでない部分を塞いで使用する。スクリーン５０４の所定部分を塞ぐ方法は次のとおりである。まず、スクリーン枠５０１に、スクリーン材料となる紗を張り、その表面に感光乳剤をコーティングする。次いで、コーティングされたスクリーン用材料の所定の領域（樹脂層を形成する領域）以外を遮光マスクによりマスクし、スクリーン用材料に露光装置を用いて紫外線を一定時間照射する。次いで、紫外線照射によって露光された感光乳剤を水噴射などによって水洗することにより現像する。【００３６】
遮光マスクで露光させなかった部分では、感光乳剤が残り、紗の孔を塞いでいる。この部分が図２において、５０２Ａ、及び５０２Ｂの領域に該当する。露光により紗が露出した部分が５０３に該当する。【００３７】
スクリーン枠５０１は、例えば、木材、アルミニウム、ステンレス、またはプラスチックなどの材料を用いて形成することができる。特に、軽量かつ剛性の高いアルミニウムが好ましい。スクリーン材料となる紗は、シルク、ナイロン（登録商標）、テトロン（登録商標）、Ｖスクリーン（登録商標）、またはステンレスなどから成るものであってよい。外圧に対する復元性の点から、Ｖスクリーンが好ましい。感光乳剤として、例えば、ジアゾニウム塩または重クロム酸塩を、ＰＶＡまたは酢酸ビニルエマルジョンに混合し溶解させたものを用いることができる。スクリーン材料の所定の位置におけるメッシュ数（１インチあたりの線材の本数）は、１００〜６００であると好ましい。メッシュ数がこの範囲内にあれば、樹脂含有塗料の通過不良および塗布ムラを生じさせることなく、樹脂含有材料を塗布できる。スクリーンの穴は網目に限定されない。【００３８】
ここでは、スクリーン枠５０１としてアルミニウムを使用し、基板への負荷が小さくなるようにＶスクリーンを使用した、スクリーン５０４を用いている。もちろん、他の材料から成るスクリーン枠および／または他の材料から成る紗を用いてよいことはいうまでもない。【００３９】
スクリーン印刷の際、樹脂の粘度が低いと、塗布後の樹脂が流動し、基板の端面で樹脂がはみ出る、または樹脂の盛り上がりが生じるという、不都合がある。樹脂粘度が高いと、スクリーンを通って樹脂が転移し難くなる。工程中の温湿度変化による樹脂粘度の低下影響等を考慮すると、樹脂の粘度は３０ｃｐｓから１００００ｃｐｓ範囲内であることが好ましい。【００４０】
スクリーン５０４において、紗が露出した部分の位置および形状５０３を選択することにより、紫外線硬化性樹脂の基板５０５上への塗布範囲を制限することが可能である。よって、スクリーン５０４を用いる場合には、５０３と５０２Ａの境界位置を変えることで、形成する樹脂層の内周側端部の位置を制御することができる。基板５０５上に、スクリーン５０４を用いたスクリーン印刷法により、樹脂の塗布を行った場合は、樹脂の塗布領域は５０６のようになる。【００４１】
次に、この樹脂層に案内溝、及びピットを形成するプロセスを、図６を参照して説明する。紫外線硬化性樹脂６０７の塗布が完了した第１基板６０８は、次に真空槽６０１の中に搬送される。このとき同時に転写基板６０２も真空槽６０１の中に搬送される。【００４２】
転写基板６０２は、紫外線硬化性樹脂６０７との剥離性が良好な材料であるポリオレフィン樹脂を用いて形成される。転写基板６０２の厚みは０．６ｍｍ程度である。この厚みは、厚みが１．１ｍｍの基板の第１基板６０８から転写基板６０２を剥離する際に、基板の厚みが異なることによる剛性の差を利用し、転写基板６０２を反らせて剥離することを目的として選択されている。【００４３】
ポリオレフィン樹脂は、第１基板６０８の成形時と同様に、常套のスタンパを用いて、射出圧縮成形等の樹脂成形によって、片面に、凹凸で形成されたピットおよび／または案内溝を容易に作製できることから、好ましく用いられる。また、ポリオレフィン樹脂は、紫外線を良好に透過する特性も有している。図６（Ｄ）に示すように、紫外線は、転写基板６０２を経由して、紫外線硬化性樹脂に照射されるため、ポリオレフィン樹脂からなる転写基板６０２は、紫外線硬化性樹脂を効率良く硬化させ得る。また、ポリオレフィン樹脂に代えて、ポリカーボネート材料を用いても、同様の効果を得られる。【００４４】
転写基板６０２の中心部には、中心穴が設けられている（図６（Ａ）参照）。この中心穴は、センターボスを介して、転写基板６０２と第１基板６０８の中心を一致させるために、設けられる。【００４５】
真空槽６０１内は、ロータリーポンプまたはメカニカルブースターポンプなどの真空ポンプ６０３によって排気され、短時間で真空雰囲気となる。真空槽６０１内が１００Ｐａ以下の真空度に達したときに、転写基板６０２を第１基板６０８上に重ね合わせる。それから、転写基板６０２の上部に設置されている加圧プレート６０４を用いて、転写基板６０２に圧力を加える。それにより、紫外線硬化性樹脂６０７に、転写基板６０２に形成されている信号が転写される。真空槽６０１内が真空雰囲気であることから、紫外線硬化性樹脂６０７と転写基板６０２は、その間に気泡が混入することなく、貼り合せることができる（図６（Ｂ）参照）。【００４６】
貼り合わされた第１基板６０８と転写基板６０２は真空槽６０１から取り出される。それから、転写基板６０２の上部に配置されている、紫外線照射装置６０５を用いて、紫外線を、紫外線硬化性樹脂の全面に照射して、紫外線硬化性樹脂６０７を硬化する。紫外線は、転写基板６０２を経由して照射される。次いで、転写基板６０２を剥離するために、転写基板６０２と紫外線硬化性樹脂６０７の間に圧縮エアーを吹き込む。これらの工程を経て、ピットおよび／または案内溝を有する樹脂層６０６が形成される。【００４７】
転写基板を剥離する工程としては、ａ）基板と転写基板の間に、治具を挿入し、圧縮空気を吹き付けることにより、剥離する方法、およびｂ）あらかじめ、転写基板の中心穴の直径を、基板の中心穴の直径より小さくして、転写基板の内周部を突出させ、突出部を剥離の開始部にして、内周部から転写基板を剥離させる方法などが提案されている。剥離の方法は特に限定されないが、図１を参照して、ｂ）の剥離方法を、より詳細に説明する。【００４８】
まず、テーブル１０１に基板１０２をおき、その上部より、吸着アーム１０３をとりつける。基板１０２上には、紫外線硬化性樹脂１０４、転写基板１０５が積層されている。ここで、紫外線硬化性樹脂１０４は、既に硬化している。【００４９】
テーブル１０１には、基板１０２と接する面に吸着穴が開いており（図示せず）、減圧することによって、テーブル１０１に基板１０２を固定することができる。また、吸着アーム１０３にも、転写基板１０５側に吸着穴があり（図示せず）、減圧することによって、吸着アーム１０３を転写基板１０５に固定することができる。基板１０２の内径は１５ｍｍ、転写基板１０５の内径は１３ｍｍである。よって、中心穴部分では、転写基板１０５の穴が１ｍｍ突き出している（図１（Ａ））。剥離ピン１０６がテーブルの中に装備されていて、中心穴を通過できるようになっている。【００５０】
剥離は、次のプロセスにより実施される。まず、基板１０２をテーブル１０１に固定し、吸着アーム１０３を転写基板１０５に固定する。その後、剥離ピン１０６を上部に突き上げる（図１（Ｂ））。同時に、吸着アーム１０３も、上昇させる。転写基板１０５の厚みは、第１基板１０２の厚みより、小さく剛性が低いため、図のように、転写基板１０５が反る。【００５１】
次に、図１（Ｂ）の拡大図に示すように、剥離ピン１０６に設けられた、エアブロー突出口１０７から、圧縮空気を図中の矢印の方向に噴出する。この圧縮空気によって、転写基板１０５を、紫外線硬化性樹脂１０４から剥離することができる。エアブロー突出口は、剥離ピンの外周線上に２以上設けてよい。【００５２】
上記の剥離プロセスにおいて、剥離の失敗が発生しやすい箇所が内周側端部１０８部分である。硬化後の紫外線硬化性樹脂１０４が、第１基板１０２上に残存するか、転写基板１０５に付着するかは、内周側端部１０８と第１基板１０２の密着力による。内周側端部１０８での密着力が弱いと、紫外線性硬化樹脂１０４が転写基板１０５に付着してしまうため、その媒体は欠陥品になる。紫外線硬化性樹脂１０４と転写基板１０５の密着力は、同一箇所に何度も剥離力がかかると、弱くなる。このことが、多層情報記録媒体の製造を難しくしている【００５３】
即ち、多層情報記録媒体を作製する際には、樹脂層を複数積層するため、積層するたびに、信号転写基板の剥離プロセスが必要になる。つまり、積層する層の数が多いほど、剥離時に内周側端部１０８により大きい剥離力がかかることになり、剥離プロセスの繰り返しは、剥離時の欠陥を生み出す要因となっている。そこで、本実施の形態では、紫外線硬化性樹脂からなる樹脂層を積層する場合に、それぞれの樹脂層の内周側端部の位置を変えて、局部的な密着力の低下を防止した。【００５４】
図１（Ｃ）には、第２情報記録層（図示せず）の形成、２回目の紫外線硬化性樹脂１０９の塗布、２層目の紫外線硬化性樹脂１０９への転写基板１１１の貼り合せ、および紫外線照射の工程が終了した基板１１２を剥離テーブルに設置し、剥離ピン１０６で突き上げた様子を表す。紫外線硬化性樹脂１０９の内周側端部１１０は、１層目の樹脂層１０４の内周側端部１０８よりも、基板１１２の内周により近くなっている。即ち、紫外線硬化性樹脂１０９により形成される樹脂層の内周の直径は、樹脂層１０４の内周の直径よりも小さい。樹脂層の内周側端部の位置は、スクリーンに塗布する乳剤のパターンを変更することにより、容易に制御することができる。【００５５】
２層目の紫外線硬化性樹脂に密着させた転写基板１１１を剥離させるとき、剥離ピン１０６で突き上げた瞬間に、剥離力が最も大きくかかる箇所は２層目の紫外線硬化性樹脂１０９の内周側端部１１０になる。よって、第１樹脂層１０４の内周側端部１０８にかかる剥離力を、小さくすることができる。この効果により、剥離工程において転写基板１１１に紫外線硬化性樹脂１０９が付着することが防止され、剥離欠陥の発生確率を、大幅に低減することができる。【００５６】
図示するように、紫外線硬化性樹脂１０９は、第１樹脂層１０４の内周側端部１０８を覆っている。このように、第１樹脂層の内周側端部を覆うことによって、紫外線硬化性樹脂１０９に密着させた転写基板１１１を剥離するときに、樹脂層１０４の内周側端部１０８に掛かる負荷をより小さくすることができる。【００５７】
図３に示すような、４層情報記録媒体を得るには、樹脂層をさらに１層形成する必要がある。３層目の樹脂層は、その内周側端部の位置が、２層目の樹脂層の内周側端部とは異なるように形成してよく、あるいは、２層目の樹脂層の内周側端部の位置と同じとなるように形成してよい。本発明の効果は、隣り合う２つの樹脂層の組み合わせのうち、少なくとも１つの組み合わせ（図１（Ｄ）において、第１樹脂層と第２樹脂層の組み合わせ）において、樹脂層の内周側端部の位置が互いに異なり、かつ、少なくとも１つの樹脂層（図１（Ｄ）において第１樹脂層）の内周側端部が、別の樹脂層（図１（Ｄ）において第２樹脂層）によって覆われていることによって、十分に得られる。よって、第２樹脂層の内周側端部の位置と３層目の樹脂層の内周側端部の位置がそろっていてもよい。図３に示す形態では、第３樹脂層の内周側端部は、第１樹脂層の内周側端部と第２樹脂層の内周側端部との間に位置している。以下に、本発明の記録媒体のより具体的な形態を説明する。【００５８】
（実施の形態１）
図７（Ａ）に、４層情報記録媒体の一形態を断面図で示す。図では、基板７０１上に第１情報記録層７０２、第１樹脂層７０６、第２情報記録層７０３、第２樹脂層７０７、第３情報記録層７０４、第３樹脂層７０８、第４情報記録層７０５、および保護層７０９を、この順に積層した情報記録媒体の断面図を表している。【００５９】
本実施の形態では、剥離時の欠陥の発生を防止するために、各層の樹脂層の内周側端部の位置が全て異なり、全ての樹脂層の内側端部が基板７０１に接している。例えば、基板７０１の内径（中心穴の直径）が１５ｍｍであるときに、第１樹脂層７０６の内径(内周側端部により規定される円の直径に等しい）は２３ｍｍ、第２樹脂層７０７の内径は２２ｍｍ、第３樹脂層７０８の内径は２１ｍｍとなるように、３つの樹脂層を構成することができる。【００６０】
尤も、実際には、内周側端部が形成する円の中心位置と基板の中心位置とがずれていることがある。あるいは、内周側端部の形状が真円でなく、ひずんでいる、または楕円形状であることがある。そのため、内周側端部の位置には幅があり、約５００μｍ程度、ずれることもある。そのようなずれは許容される。所期の効果を得るためには、隣り合う樹脂層の組み合わせにおいて、好ましくは、２つの内周側端部同士の距離（基板の半径方向と平行な距離）は１００μｍ以上であることが好ましい。【００６１】
本実施の形態の多層記録媒体を作製する場合、各樹脂層を形成するときに、転写基板の剥離に伴って、大きな剥離力が加わる。図示した形態のように、樹脂層を形成する場合には、剥離力が加わる場所は、樹脂層ごとに異なる。各層の剥離力が最も大きくかかる箇所を図７（Ａ）の拡大図に示す。第１樹脂層７０６の形成時に転写基板を剥離する工程では、第１樹脂層７０６の内周側端部７１０に、剥離の負荷がかかる。また、第２樹脂層７０７の形成時に転写基板を剥離する工程では、第２樹脂層７０７の内周側端部７１１に負荷がかかる。同様に、第３樹脂層７０８を形成するときに、転写基板を剥離する工程では、第３樹脂層７０８の内周側端部７１２に負荷がかかる。このように、全ての樹脂層の内周側端部の位置がそれぞれ異なる構成によって、剥離時に一箇所に負荷が掛かることを緩和または防止できる。【００６２】
さらに、この形態においては、第１樹脂層の内周側端部７１０が、第２樹脂層７０７で覆われて、これと接着しており、第２樹脂層７０７の内周側端部７１１が、第３樹脂層７０８で覆われて、これと接着している。この構成により、第２樹脂層７０７および第３樹脂層７０８を形成するときに、第１樹脂層７０６の内周側端部に掛かる負荷がより小さくなり、第３樹脂層７０８を形成するときに、第２樹脂層７０７の内周側端部に掛かる負荷がより減少する。【００６３】
図７（Ａ）に示す構成がもたらす効果は、Ｍの数（情報記録層の数）がより大きいほど、より顕著に達成される。Ｍの数が大きいほど、樹脂層の数も多くなるため、先に形成された樹脂層（例えば、第１樹脂層）の内周側端部は、繰り返し剥離力に曝される。この構成によれば、第（Ｍ−２）樹脂層までの全ての樹脂層の内周側端部が覆われており、かつ全ての内周側端部の位置が、基板の半径方向において、一致していないから、欠陥の発生を有効に防止できる。【００６４】
また、このような構成によれば、樹脂層の内周側端部の位置をずらすことにより生ずる段差を、小さく又は無くすことができる。例えば、図７（Ａ）に示す媒体において、３つの樹脂層を形成した後で、樹脂層が形成する段差はない。後述する図７（Ｂ）に示す媒体において、３つの樹脂層を形成した後で、樹脂層が形成する段差は１つである。これに対し、３つの樹脂層を、第１樹脂層の内径＜第２樹脂層の内径＜第３樹脂層の内径となるように作製すると、段差が２つ生じることとなる。【００６５】
樹脂層が形成する段差は、カバー層を形成するときに、カバー層の仕上がりの美観に影響を与える。例えば、カバー層を、シートおよびシートをカバー層に接着する接着剤により形成する場合に、樹脂層の端面に段差が存在すると、気泡が混入しやすくなる。また、カバー層を、保護層７０９として、例えば、スピンコート法で形成する場合には、中心穴近傍に設置するキャップの安定性が、樹脂層の内周側端部の形状で決定される。そのため、キャップを置きやすく、水平に保ちやすいように、樹脂層は、段差がより少なく、またよりなめらかな形状となるように形成することが好ましい。【００６６】
さらに、一般的に、光学的情報記録媒体において、隣り合う樹脂層は、基板の内周部および外周部において、情報記録層を介在せずに、直接的に接着されて一体化している。そのため、転写基板を剥離するときに、転写基板が密着している樹脂層だけでなく、それと一体化している下層の樹脂層にも、力が作用して、上の樹脂層と一緒に転写基板の側へ移動する（即ち、剥離する）ことがある。本発明の記録媒体においては、剥離の際に負荷が加わる位置を分散させるように、２以上の樹脂層を構成するので、隣り合う樹脂層が接着一体化していても、樹脂の剥がれが生じにくい。樹脂層は、内周部では、例えば、直径１８ｍｍ〜３４ｍｍまでの範囲内、好ましくは直径１８ｍｍ〜２６ｍｍの範囲内にある位置から情報記録層が開始するまでの位置（直径約４２ｍｍ）までの環状領域で、互いに接着しており、外周部では直径が１１９ｍｍから直径１２０ｍｍまでの環状領域で、互いに接着している。【００６７】
保護層７０９の形成には、凹凸および案内溝の転写、ならびに転写基板の剥離というプロセスが含まれないので、その内周側端部の位置を限定する必要が無い。したがって、保護層７０９の内周側端部の位置は、図示するように、第３樹脂層７０８の内周側端部よりも、基板の外周により近くしてもよいし、第３樹脂層７０８の内周側端部よりも、基板の内周により近くして、樹脂層７０６、７０７および７０８全体を覆うようにしてもよい。【００６８】
本実施の形態の記録媒体は、転写用基板を中心穴から剥離する工程を含む方法によって製造されるものであるから、樹脂層の内周側端部に掛かる負荷を考慮して、樹脂層の内周側端部を上記のように構成した。別の形態において、樹脂層の外周側端部を、同様の構成としてよい。このことは、後で説明する全ての形態についてあてはまる。【００６９】
樹脂層は、前述のように、スクリーン印刷法により形成される。あるいは、樹脂層はスピンコート法によって形成してよい。但し、スピンコート法を用いる場合には、キャップが樹脂層の内周端面と接触するので、本発明の記録媒体のように、樹脂層の内周側端部の位置がそろっていないときには、キャップの位置安定性が低下することがある。そのため、樹脂層の形成方法として、スクリーン印刷法が好ましく用いられ、あるいはインクジェット法が好ましく用いられる。【００７０】
（実施の形態２）
図７（Ｂ）に、４層情報記録媒体の別の形態を断面図で示す。図では、基板７１３上に第１情報記録層７１４、第１樹脂層７１８、第２情報記録層７１５、第２樹脂層７１９、第３情報記録層７１６、第３樹脂層７２０、第４情報記録層７１７、および保護層７２１を、この順に積層した情報記録媒体の断面図を表している。【００７１】
本実施の形態においても、剥離時の欠陥発生を防止するために、各層の樹脂層の内周側端部の位置がそれぞれ異なっている。具体的には、第１樹脂層７１８の内周側端部が基板７１３の内周に最も近く、第２樹脂層７１９の内周側端部は、第１樹脂層７１８の内周側端部よりも基板の外周に近く、第３樹脂層７２０の内周側端部は第２樹脂層７１９の内周側端部より基板の内周に近く、第３樹脂層７２０は、第２樹脂層７１９の内周側端部を覆っている。第３樹脂層７２０の内周側端部は、第１樹脂層の内周側端部よりも、基板の外周に近い。例えば、基板７０１の内径が１５ｍｍであるとき、第１樹脂層７１８の内径（内周側端部により規定される円の直径に等しい）は２１ｍｍ、第２樹脂層７１９の内径は２２ｍｍ、第３樹脂層７２０の内径は２１．５ｍｍとなるように、３つの樹脂層を構成することができる。【００７２】
本実施の形態の多層記録媒体の作製を作製する場合にも、各樹脂層を形成するときに、転写基板の剥離に伴って、大きな剥離力が加わる。剥離力が加わる場所を図７（Ｂ）の拡大図を参照して説明する。第１樹脂層７１８の形成時に、転写基板を剥離する工程では、内周側端部７２４に、第２樹脂層７１９の形成時に転写基板を剥離する工程では、内周側端部７２３に、第３樹脂層７２０の形成時に転写基板を剥離する工程では、内周側端部７２２に剥離時の負荷がかかる。このように、この形態においても、各樹脂層を形成するときに負荷が掛かる位置は、樹脂層ごとに異なっている。それにより、剥離による欠陥を減らすことができる。【００７３】
図７（Ｂ）に示すように、本実施の形態では、第２樹脂層７１９の内周側端部７２３が、第１樹脂層７１８によって覆われていて、これと接着している。それにより、第３樹脂層７２０の形成の際に、第２樹脂層７１９の内周側端部７２３に加わる力をより小さくし得る。【００７４】
隣り合う樹脂層が基板の内周部において、情報記録層を介さずに、直接的に接着していることは、この形態の記録媒体においても同様である。この形態の記録媒体においても、第１の形態と同様に、隣り合う樹脂層の組み合わせ、即ち、第１樹脂層と第２樹脂層との組み合わせ、および第２樹脂層と第３樹脂層との組み合わせにおいて、内周側端部の位置が互いに異なっており、かつ全ての樹脂層の内周側端部の位置がそれぞれ異なっているから、転写基板を剥離する工程で欠陥が生じにくい。【００７５】
保護層７２１の形成には、凹凸および案内溝の転写、及び転写基板の剥離というプロセスが含まれないので、その内周側端部の位置は特に限定されない。図示したように、保護層７２１の内周側端部は、第３樹脂層７２０の内周側端部の位置より、基板の外周により近い位置としてよい。【００７６】
次に、実施の形態１および２の変形例を説明する。樹脂層が３層積層される場合に、各樹脂層の内周側端部がとり得る位置を、図１０（Ａ）〜図１０（Ｆ）を用いて説明する。これらの図は、理解の容易のため、基板の内周付近の構成のみを示し、図においては、基板１０００、１０１０、１０２０、１０３０、１０４０、１０５０、第１樹脂層１００１、１０１１、１０２１、１０３１、１０４１、１０５１、第２樹脂層１００２、１０１２、１０２２、１０３２、１０４２、１０５２、第３樹脂層１００３、１０１３、１０２３、１０３３、１０４３、１０５３、第１樹脂層の内周側端部１００４、１０１４、１０２４、１０３４、１０４４、１０５４、第２樹脂層の内周側端部１００５、１０１５、１０２５、１０３５、１０４５、１０５５、第３樹脂層の内周側端部１００６、１０１６、１０２６、１０３６、１０４６、１０５６のみを示す。【００７７】
図１０（Ａ）に示す構成は、実施の形態１に相当し、図７（Ａ）に示す構成と同じである。隣り合う樹脂層の組み合わせの各々において、樹脂層の内周側端部の位置が互いに異なり、すべての樹脂層の内周側端部が、基板の半径方向において、それぞれ異なる位置にあり、かつ全ての樹脂層の内周側端部１００４、１００５および１００６が基板１０００に接している。第１樹脂層１００１の内周側端部１００４は第２樹脂層１００２に覆われ、第２樹脂層の内周側端部１００５は第３樹脂層１００３に覆われている。【００７８】
図１０（Ｂ）は、隣り合う樹脂層の組み合わせの各々において、樹脂層の内周側端部の位置が互いに異なり、すべての樹脂層の内周側端部が、基板の半径方向において、それぞれ異なる位置にあり、かつ第１樹脂層１０１１の内周側端部１０１４および第２樹脂層１０１２の内周側端部１０１５が、第３樹脂層１０１３で覆われている構成を示す。第３樹脂層１０１３の内周側端部１０１６が、基板１０１０の内周に最も近い。この構成においても、３つの樹脂層は段差を形成せず、図９（Ａ）（図７（Ａ））に示すものと同様に、カバー層を形成するときの美観を良好にする。【００７９】
図１０（Ｃ）に示す構成は、実施の形態２に相当し、図７（Ｂ）に示す構成と同じである。隣り合う樹脂層の組み合わせの各々において、樹脂層の内周側端部の位置が互いに異なり、すべての樹脂層の内周側端部が、基板の半径方向において、それぞれ異なる位置にあり、かつ、第１樹脂層１０２１の内周側端部１０２４が基板１０２０の内周に最も近く、第２樹脂層１０２２の内周側端部１０２５が基板１０２０の外周に最も近い。第３樹脂層１０２３の内周側端部１０２６は、第１樹脂層０１１に接している。第２樹脂層１０２２の内周側端部１０２５は、第３樹脂層１０２３で覆われている。この構成においては、３つの樹脂層により１つの段差が形成される。【００８０】
図１０（Ｄ）は、隣り合う樹脂層の組み合わせの各々において、樹脂層の内周側端部の位置が互いに異なり、すべての樹脂層の内周側端部が、基板の半径方向において、それぞれ異なる位置にあり、かつ、第２樹脂層１０３２の内周側端部１０３５が基板１０３０の内周に最も近く、第３樹脂層１０３３の内周側端部１０３６が基板１０３０の外周に最も近い構成を示す。第１樹脂層１０３１の内周側端部１０３４は、第２樹脂層１０３２で覆われている。この構成においては、３つの樹脂層により１つの段差が形成される。【００８１】
図１０（Ｅ）は、隣り合う樹脂層の組み合わせの各々において、樹脂層の内周側端部の位置が互いに異なり、すべての樹脂層の内周側端部が、基板の半径方向において、それぞれ異なる位置にあり、かつ、第２樹脂層１０４２の内周側端部１０４５が基板１０４０の内周に最も近く、第１樹脂層１０４１の内周側端部１０４４が基板１０４０の外周に最も近い構成を示す。第１樹脂層１０４１の内周側端部１０４４は、第２樹脂層１０４２で覆われている。この構成においては、３つの樹脂層により１つの段差が形成される。【００８２】
図１０（Ｆ）は、隣り合う樹脂層の組み合わせの各々において、樹脂層の内周側端部の位置が互いに異なり、第１樹脂層１０５１の内周側端部１０５４と、第３樹脂層１０５３の内周側端部１０５６とが、基板の半径方向において、同じ位置にあり、かつ、第２樹脂層１０５２の内周側端部１０５５が基板１０５０の内周に最も近い。第１樹脂層１０５１の内周側端部１０５４は、第２樹脂層１０５２で覆われている。この構成においては、３つの樹脂層により１つの段差が形成される。また、第１樹脂層の内周側端部１０５４と第３樹脂層の内周側端部１０５６が同じ位置にあるため、第３樹脂層を形成するときに、第１樹脂層に負荷がかかりやすい。この構成は、３つの樹脂層の内周側端部の位置がそろっている構成よりも、樹脂層の剥離が生じにくいという点で好ましい。【００８３】
図面においては、理解の容易のため、本発明の記録媒体を模式的に示している。樹脂層は、実際には角張ったものではなく、図１１に示すように、曲線で規定される輪郭を有していてよい。多くの場合、樹脂層は、曲線で規定される輪郭を有する。図１１は、図１０（Ａ）に相当する。【００８４】
実施の形態１および２として、３つの樹脂層を有する、４層記録媒体を説明した。樹脂層（情報記録層）の数は限定されず、樹脂層の数が４以上であっても、同じ原理を適用できる。例えば、樹脂層の数が４であるときには、図１０（Ｂ）に示す構成を応用して、第１の樹脂層および第４の樹脂層の内周側端部のみが、基板に接するようにしてよい。あるいは、図１０（Ｆ）に示す構成を応用して、第１樹脂層および第３樹脂層の内周側端部の位置を同じにし、第２樹脂層および第４樹脂層の内周側端部の位置を同じにし、第４樹脂層および第２樹脂層がそれぞれ、第３樹脂層および第１樹脂層の内周側端部を覆うようにしてよい。このように、隣り合う樹脂層の組み合わせのうち、少なくとも１つの組み合わせにおいて、樹脂層の内周側端部の位置が互いに異なる構成によって、転写基板を剥離する工程にて生じる欠陥を低減することができる。【００８５】
以上説明したように、形成する樹脂層の内周側端部の位置（即ち、樹脂層の内縁）を、少なくとも１つの隣り合う樹脂層の組み合わせにおいて、互いに異なるようにする構成によって、剥離時に発生する欠陥を大幅に低減することができる。また、各樹脂層の内周側端部の位置は、例えば、スクリーン印刷法によって、容易に所望の位置に設定できるので、追加のプロセスおよび設備は、特に必要とされない。よって、本発明の多層情報記録媒体は、従来の設備をそのまま用いて、製造することが可能である。【００８６】
（実施の形態３）
実施の形態３として、樹脂層を硬化する際に、領域を分けて、領域によって紫外線照射量を変える方法を説明する。多層ディスクにおいては、記録層が形成されている情報記録領域とそうでない領域（「非情報記録領域」と呼ぶ）では、透過率が大きく異なる。このため、樹脂層を形成するたびに、非情報記録領域における樹脂層は、多量の紫外線にさらされることになる。【００８７】
図８を用いて、非情報記録領域と、紫外線の照射量を変えて情報記録媒体を製造する方法を詳細に説明する。基板８０１の上には、紫外線硬化性樹脂からなる樹脂層８０３、８０５、８０７、および透明層（または保護層）８０９が積層形成され、各樹脂層の間には、第１情報記録層８０２、第２情報記録層８０４、第３情報記録層８０６、第４情報記録層８０８がそれぞれ形成されている。【００８８】
情報記録層は、金属または誘電体で形成されており、スパッタリング装置を用いて形成される。通常、このスパッタリング装置に基板８０１を設置する場合、金具により基板８０１が固定され、情報記録層が形成されない内周非情報記録領域８１０、情報記録層が形成されない外周非情報記録領域８１２が設けられる。これらの非情報記録領域は、スパッタリング装置内で、基板８０１を固定した結果として形成され、マスク領域と称されることもある。これらの非情報記録領域においては、情報記録層が各樹脂層で包み込まれ、情報記録層が大気および水蒸気と接触することが無い。よって、非情報記録領域は、情報記録層の劣化を防ぐという役割も果たしている。非情報記録領域は、半径約２１ｍｍ〜約５９ｍｍまでの環状領域、および半径約５９ｍｍ〜６０ｍｍまでの環状領域である。【００８９】
多層情報記録媒体を作製するプロセスでは、各樹脂層の領域によって、吸収される紫外線照射量が異なる。例えば、樹脂層８０３における紫外線による硬化の度合いを考える。樹脂層８０３を硬化するために用いられる紫外線照射量は、全領域で同じである。その後、第２の情報記録層８０４を形成し、樹脂層８０５を硬化するために、紫外線を照射する際には、樹脂層８０３内に照射される光量は、場所によって変わる。これは、第２の情報記録層８０４がマスクとなって、樹脂層８０３の領域８１１には、ほとんど紫外線が照射されないが、樹脂層８０３の内周側の領域８１０及び外周側の領域８１２領域では、上部に情報記録層が無いため、多くの紫外線が照射されることによる。【００９０】
同様に、樹脂層８０７および透明層８０９を形成する際の紫外線照射量も、それぞれの領域で異なる。また、情報記録層の数が多いほど、情報記録領域８１１の透過率は低下するため、情報記録領域に照射される紫外線照射量と、非情報記録領域に照射される紫外線照射量との差は、より後の樹脂層形成工程において、より大きくなる。【００９１】
紫外線硬化性樹脂は、紫外線に曝されると架橋が進み、未硬化の液体状の樹脂が硬化する性質を有する。紫外線硬化性樹脂は、完全に硬化が終わった後で過剰の紫外線が照射されると、硬化後の樹脂がもろくなるという性質をまた有している。特に、内周部から転写基板の剥離を行う場合、領域８１０の樹脂がもろくなると、転写基板を剥離する際に欠陥を生じやすくなり、樹脂層の内周側端部が基板から剥離する、または転写基板に付着する可能性が高くなる。【００９２】
そのような不都合を防止するためには、あらかじめ、内周側の領域８１０に紫外線が過度に照射されないように、紫外線照射量を調整する必要がある。また、外周部から剥離を行う際には、外周側の領域８１２に紫外線が過度に照射されないように、紫外線照射量を調整すればよい。【００９３】
紫外線照射量は様々な方法で調整され得る。例えば、転写基板側から紫外線を照射する場合、転写基板の透過率を部分的に小さくすることによって、非情報記録領域への紫外線照射量を減らすことが可能である。【００９４】
図９は、基板に紫外線を照射する工程を模式的に示す。図９（Ａ）において、９０１は紫外線照射装置、９０２は転写基板、９０３は樹脂層、９０４は基板を表している。図９（Ｂ）は、転写基板９０２を紫外線照射装置９０１側から見た俯瞰図である。内周側の領域９０５と外周側の領域９０７は、樹脂層９０３に照射される紫外線照射量を減らすために、金属膜で覆っている。【００９５】
この金属膜の材料は、特に限定されない。例えば、Ａｇ、Ａｌ、ＮｉまたはＣｕ
を用いて金属膜を形成できる。金属膜は、樹脂層９０３をアクリル系樹脂で形成する場合には、波長２８０〜３４０ｎｍの光の透過率が、１０〜４０％の範囲内となるように、構成されることが好ましい。この波長領域は、樹脂層９０３に混入している硬化開始剤が作用する、紫外線波長に依存する。また、透過率は、樹脂層９０３に混入している硬化開始剤の量に依存する。上記の樹脂で樹脂層を形成する場合において、上記の波長領域の紫外線が、上記の透過率で、樹脂層９０３に照射されれば、良好な剥離性を確保することができる。透過率が高すぎる場合は、樹脂層９０３の硬化が進み、もろくなるため、欠陥が生じる。また、透過率が低すぎる場合は、樹脂層９０３がゲル状になり、硬化しない。このため、樹脂層９０３の硬化度合いによって、金属膜の透過率を調整する必要がある。【００９６】
また、本実施の形態では、転写基板に、紫外線照射量を調整する金属膜を形成した。紫外線照射量を調整する手段は金属膜に限定されない。例えば、紫外線照射装置と転写基板の間に別部品を挿入することで、紫外線照射量を調整することも可能である。また、紫外線照射装置本体に、紫外線が照射される領域を制限する部材を取り付けてよい。【００９７】
（実施の形態４）
実施の形態４として、前記非情報記録領域において、紫外線を照射する領域を、さらに細かく区分して、紫外線を照射することを含む、本発明の情報記録媒体の製造方法を説明する。図１１は、本発明の記録媒体の一形態を示す断面図と、その媒体の非情報記録領域において、紫外線照射量の異なる領域が存在することを示すグラフを示す。【００９８】
非情報記録領域をさらに区分する必要性を、図１１を参照して説明する。図１１に示す構成の三層の樹脂層を形成する際は、第１樹脂層２００１のどの部分においても、同じ量の紫外線が照射される。次に、第２樹脂層２００２となる紫外線硬化性樹脂を塗布し、紫外線を照射すると、第２樹脂層がマスクとなるため、図中の領域Ａに照射される紫外線照射量の総量は、図中の領域Ｂに照射される紫外線照射量の総量よりも多くなる。さらに、第３層樹脂層２００３となる紫外線硬化性樹脂を塗布し、紫外線を照射すると、第２樹脂層に加えて、第３樹脂層もマスクとなるため、図中の領域Ｃに照射される紫外線照射量の総量は、最も少なくなる。図中の領域Ａは、樹脂層のマスクがないため、第１樹脂層を形成するときに照射された紫外線照射量の３倍の紫外線にさらされることとなる。【００９９】
各領域の紫外線照射量を、図１１に模式的に示す。図示するように、領域Ａ、ＢおよびＣにおける、紫外線照射量は、第３樹脂層を形成した段階で、相当に異なる。図１１に示すグラフは概念的なものであり、各領域の紫外線照射量は、第２樹脂層および第３樹脂層の厚さおよび紫外線透過性によって異なる。【０１００】
このように、各領域の紫外線照射量が異なると、紫外線照射量の最も多い領域Ａの樹脂がもろくなり、剥がれ落ちる可能性がある。これは、記録媒体の欠陥となる。この欠陥の発生を防止するため、領域Ａのように紫外線照射量が累積的に多くなる部分は、マスクで覆って、紫外線照射量を小さくすることが好ましい。たとえば、第１樹脂層〜第３樹脂層の形成が終了したときに、すべての領域で紫外線照射量が同じになるように、領域Ａの上方には、最も透過率の低いマスクを用い、領域Ｂの上方には領域Ａの上方にあるマスクよりも、透過率の高いマスクを使用することが好ましい。このように、各領域での紫外線照射量を同じレベルにすると、紫外線が過度に照射される領域を無くすことができ、全体として均一な樹脂層の積層体を形成することができる。【０１０１】
マスクは、先に説明したように、転写基板に形成された金属膜であってよい。あるいは、紫外線照射装置と転写基板の間に別部品を挿入することで、紫外線照射量を調整することも可能である。また、紫外線照射装置本体に、紫外線が照射される領域を制限する部材を取り付けてよい。
【産業上の利用可能性】
【０１０２】
本発明の多層情報記録媒体及びその製造方法は、欠陥が少ない多層記録媒体を高速で製造することを可能とし、正確に大容量情報を光学的に再生可能な多層型の光ディスク（例えば、デジタル多用途ディスク（ＤＶＤ）およびブルーレイディスク）およびその製造方法として有用である。また、本発明は、大容量メモリーの製造等の用途にも応用できる。
【図１】
2008059676.tif 000003
【図２】
2008059676.tif 000004
【図３】
2008059676.tif 000005
【図４】
2008059676.tif 000006
【図５】
2008059676.tif 000007
【図６】
2008059676.tif 000008
【図７】
2008059676.tif 000009
【図８】
2008059676.tif 000010
【図９】
2008059676.tif 000011
【図１０】
2008059676.tif 000012
【図１１】
2008059676.tif 000013
【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
内周と外周とを有する基板上に、３以上の情報記録層と、前記情報記録層と情報記録層との間に配置された樹脂層とを有する多層情報記録媒体であって、
隣り合う２つの樹脂層の組み合わせの少なくとも１つの組み合わせにおいて、樹脂層の内周側端部の位置が互いに異なり、
少なくとも１つの樹脂層の内周側端部が、別の樹脂層によって覆われている
多層情報記録媒体。
【請求項２】
前記隣り合う２つの樹脂層の組み合わせの各々において、内周側端部の位置が、互いに異なる請求項１に記載の多層情報記録媒体。
【請求項３】
基板に最も近い樹脂層の内周側端部の位置が、それ以外の樹脂層の内周側端部の位置よりも、基板の内周に近い、請求項１に記載の多層情報記録媒体。
【請求項４】
全ての樹脂層の内周側端部が前記基板に接している請求項１に記載の多層情報記録媒体。
【請求項５】
基板上に順に第１樹脂層〜第ｍ樹脂層が形成されており（ｍは情報記録層の数より１少ない整数）、第１樹脂層の内周側端部と第ｍ樹脂層の内周側端部のみが基板に接している、請求項１に記載の多層情報記録媒体。
【請求項６】
全ての樹脂層の内周側端部の位置がそれぞれ異なる、請求項１に記載の多層情報記録媒体。
【請求項７】
情報記録層の数が４以上であり、少なくとも２つの樹脂層の内周側端部の位置が同じである、請求項１に記載の多層情報記録媒体。
【請求項８】
前記隣り合う２つの樹脂層の組み合わせにおいて、樹脂層の内周部が互いに接している請求項１に記載の多層情報記録媒体。
【請求項９】
内周と外周とを有する基板上に、３以上の情報記録層と、前記情報記録層と情報記録層との間に配置された樹脂層とを有する多層情報記録媒体の製造方法であって、
各樹脂層を形成することが
（ｉ）放射線硬化性樹脂を情報記録層上に塗布して未硬化の樹脂層を形成する工程、
（ii）前記未硬化の樹脂層と、表面に凹凸を有する転写基板とを貼り合せる工程、
（iii）前記未硬化の樹脂層を硬化する工程、および
（iv）前記硬化した樹脂層の表面から転写基板を剥離する工程を
含み、
工程（ｉ）〜（iv）を、（Ｍ−１）回（Ｍは情報記録層の数）繰り返し、
少なくとも１回の工程（ｉ）において、未硬化の樹脂層の内周側端部が、前回形成した樹脂層の内周側端部とは異なるように、放射線硬化性樹脂を塗布する領域を選択し、
少なくとも１回の工程（ｉ）において、未硬化の樹脂層の内周側端部が、前回形成した樹脂層の内周側端部を覆うように、放射線硬化性樹脂を塗布する領域を選択する、
多層情報記録媒体の製造方法。
【請求項１０】
工程（ｉ）を、スクリーン印刷法またはインクジェット法により実施する、請求項９に記載の製造方法。
【請求項１１】
各工程（ｉ）において、放射線硬化性樹脂を塗布する領域を、その内周側端部が基板に接するように選択する、請求項９に記載の製造方法。
【請求項１２】
前記転写基板の厚みが、前記基板の厚みより小さく、かつ、
前記転写基板を剥離する工程（iv）において、転写基板を反らせながら樹脂層の表面から剥離する、請求項９に記載の製造方法。
【請求項１３】
放射線硬化性樹脂が紫外線硬化性樹脂であり、
前記未硬化の樹脂層を硬化する工程（iii）において、
前記未硬化の樹脂層を紫外線を照射することにより硬化し、
前記情報記録層が形成されている領域（以下、「情報記録領域」と呼ぶ）よりも内周側の領域及び／又は前記情報記録領域よりも外周側の領域に位置する樹脂層への紫外線照射量を、前記情報記録領域に位置する樹脂層への紫外線照射量よりも少なくする、請求項９に記載の製造方法。
【請求項１４】
放射線硬化性樹脂が紫外線硬化性樹脂であり、前記未硬化の樹脂層を硬化する工程（iii）が、
樹脂層の積層数が異なる部分を、それぞれ異なる紫外線照射領域として規定し、
樹脂層の積層数がより少ない紫外線照射領域に、紫外線照射量をより少なくして、紫外線を照射すること
を含む、請求項９に記載の製造方法。
【手続補正２】
【補正対象書類名】明細書
【補正対象項目名】全文
【補正方法】変更
【補正の内容】
【発明の詳細な説明】
【技術分野】
【０００１】
本発明は、再生、または記録／再生を目的とした情報記録媒体とその製造方法に関する。
【背景技術】
【０００２】
近年、情報機器および映像音響機器等が必要とする情報量が増加するに伴って、データアクセスの容易さ、大容量データの蓄積、機器の小型化に有利な光ディスクなどの情報記録媒体が注目され、その記録密度はより高くなっている。例えば、光ディスクの高密度化の手段として、レーザ光の波長が約４００ｎｍであり、レーザ光を絞り込むための集光レンズが０．８５の開口数（ＮＡ）を有する、記録再生ヘッドが既に用いられている。そのような記録再生ヘッドを用いると、単層の情報記録媒体（記録層を１層有する媒体）においては２５ＧＢ程度の容量が達成される。また、２つの記録層を有する光記録媒体においては、５０ＧＢ程度の容量を達成することが可能である。さらに容量を向上させるために、３以上の記録層を有する多層情報記録媒体も提案されている。
【０００３】
図２は、従来の多層情報記録媒体の一部を示す断面図である。この図は、ディスク形状の記録媒体を直径に沿って切断した断面を示し、図中、基板３０１の左端が内周に相当し、右端が外周に相当する。この多層情報記録媒体は、片面に凹凸形状からなるピットおよび／もしくは案内溝等が転写により形成された第１基板２０１（この基板を、「信号基板」と呼ぶこともある）と、第１基板２０１の信号が形成された面上に配置された第１薄膜層２０２と、第１薄膜層２０２の上に形成された樹脂層２０３と、樹脂層２０３の上に形成された第２薄膜層２０４と、第２薄膜層２０４の上に、透明層２０５により貼り合わせられた透明基板２０６とから構成されている。樹脂層２０３の第１薄膜層２０２と接着している面とは反対の面（即ち、第２薄膜層２０４が形成されている面）には、凹凸形状からなるピットおよび／または案内溝が転写により形成されている。本明細書において、同じ機能の層が複数設けられているときには、基板２０１から見て近い層から順に、「第１」、「第２」、・・・を付与している。
【０００４】
樹脂層２０３は、第１薄膜層２０２と第２薄膜層２０４とを光学的に分離して、一方の薄膜層に情報を記録または再生している間、他方の薄膜層に情報が記録されず、また他方の薄膜層に記録した信号が再生されないことを確保している。また、樹脂層２０３に形成されたピットおよび／または案内溝は、第２薄膜層２０４に情報を記録し又は第２薄膜層２０４から情報を再生する際に記録および／または再生光をガイドする役割をする。よって、樹脂層２０３は、中間層または第２信号基板とも呼べるものである。
【０００５】
第１基板は、スタンパを用いて、射出圧縮成形等により作製する。第１基板の一方の面には、スタンパ表面の凹凸形状が転写されて、ピットおよび／または案内溝等が形成されている。ピットおよび／または案内溝は、信号の記録再生において基本的な情報を与えるものであり、これらが形成された面は、情報面と呼べる。また、ピットおよび／または案内溝を有する基板は、「信号基板」とも呼ばれる。情報面の上に、記録膜および反射膜を含む、光による記録再生を可能にする特性を有する薄膜層が形成されて、情報記録層が形成されている。第１基板２０１の厚みは１．１ｍｍ程度である。
【０００６】
第１薄膜層２０２および第２薄膜層２０４は、前述のとおり、記録膜および反射膜等を含んでおり、スパッタリングや蒸着等の方法により形成されている。第２基板（樹脂層）２０３は、光硬化性樹脂のスピンコート法またはスクリーン印刷法などによって形成される。ピットおよび／または案内溝は、光硬化性樹脂を硬化させる前に、形成すべきピットおよび／または案内溝に対応した凹凸形状を表面に有する転写基板）を、凹凸形状を有する面を光硬化性樹脂と接するように貼り合わせて形成する。ピットおよび／または案内溝の形成は、光硬化性樹脂を光照射により硬化させた後、転写基板を光硬化性樹脂から剥離することによって完了する。
【０００７】
図示する光記録媒体への情報の記録または光記録媒体からの情報の再生は、透明基板２０６の側から記録または再生用のレーザ光を入射させて、実施する。したがって、透明基板２０６は、記録再生光に対して透明な（透過性を有する）材料からなる。また、透明基板２０６は、開口数の大きい記録再生ヘッドを用いることができるように、厚みが０．１ｍｍ程度である。透明層２０５は、２枚の基板２０６および２０７を互いに接着するために設けられており、光硬化性樹脂または感圧接着剤等の接着剤で形成されている。透明基板２０６と透明層２０５を合わせてカバー層ともいう。透明基板を貼り付けることなく透明な樹脂層のみでカバー層を形成することもある。
【０００８】
このような多層情報記録媒体においては、前述のように、樹脂層およびカバー層は、紫外線硬化性樹脂などを用いてスピンコート法により、一般に形成される（例えば特許文献１）。
【０００９】
特許文献２には、情報保持層を２以上有し、円環状であって内周縁に環状凸部を有する少なくとも２層の樹脂層を有し、これら各樹脂層が、他の樹脂層の前記環状凸部を被覆しないように階段状に積層されている光情報媒体が開示されている。順にスピンコート法で樹脂層を形成する場合において、階段状に樹脂層を形成すると、環状凸部によって、樹脂の流延が妨げられず、また、ディスク内周付近における樹脂層の厚さが設計値から外れない。
【特許文献１】特開２００５−２５９３３１号公報
【特許文献２】特開２００２−６３７３６号公報
【発明の開示】
【発明が解決しようとする課題】
【００１０】
より高密度な記録媒体を実現するために、情報記録層を積層し、多層情報記録媒体（例えば、多層光ディスク）にすることが提案されている。この媒体を実現するには、情報記録層を分離する樹脂層を複数積層しなければならない。情報記録層の数が多いほど、その間に形成すべき樹脂層の数も多くなる。その結果、樹脂層の形成に伴う、転写基板の剥離工程において、樹脂層が転写基板に付着して、転写基板とともに樹脂層まで剥離する頻度が高くなる。樹脂層が転写基板側に付着すると、情報記録層を適切に分離できないため、その上下に位置する２つの情報記録層それぞれに信号を書き込むことができなくなってしまう。
【００１１】
このように、従来の図２に示すような２層記録媒体の樹脂層の形成プロセスをそのまま多層記録媒体の樹脂層形成プロセスに応用すると、上記のような問題が発生しやすい。特に、多層情報記録媒体の製造では、樹脂層を形成するプロセスが２回以上含まれるため、層の数が多いほど、良品を作製することが困難になり、生産性が低下する。
【００１２】
本発明は、前記従来の課題を解決するもので、かつ、情報記録層間に形成される樹脂層に、案内溝および／またはピットが全面にわたって均一に形成された、多層情報記録媒体及びその製造方法を提供することを目的とする。
【課題を解決するための手段】
【００１３】
前記従来の課題を解決するために、本発明は、内周と外周とを有する基板上に、３以上の情報記録層と、前記情報記録層と情報記録層との間に配置された樹脂層とを有する多層情報記録媒体であって、
隣り合う２つの樹脂層の組み合わせの少なくとも１つの組み合わせにおいて、樹脂層の内周側端部の位置が互いに異なり、
少なくとも１つの樹脂層の内周側端部が、別の樹脂層によって覆われている
多層情報記録媒体を提供する。
【００１４】
ここで、「内周と外周とを有する基板」とは、中央に開口を有する基板を指し、一般的には環形（またはドーナッツ形）である。「情報記録層」とは、光の照射により情報の記録および再生を可能にする一または複数の層を指し、記録層および必要に応じて設けられる、反射膜、記録層を保護する保護膜、および保護膜と記録層との間に位置する界面層、反射膜と記録層の間に形成される光吸収補正層等を含む。換言すれば、情報記録層とは、２つの樹脂層の間に配置される層全体を指す。「樹脂層」は、先に図２に関連して説明したように、１つの情報記録層を、隣り合う情報記録層から分離して、例えば、１つの情報記録層に情報を記録しているときに、他の情報記録層に情報を記録しないようにする。「樹脂層の内周側端部」は、樹脂層の輪郭のうち、最も内側に位置する部分をいい、樹脂層が環形に形成されるときには、樹脂層の内周を規定する線に相当する。
【００１５】
本発明の多層情報記録媒体（以下、単に「記録媒体」または「媒体」とも呼ぶ）は、樹脂層の内周側端部の位置を、基板の半径方向において、すべて同じにせず、かつ、少なくとも１つの樹脂層の内周側端部が、別の樹脂層によって覆われていることを特徴とする。転写基板の剥離を媒体の内周側から実施する場合において、樹脂層の内周側端部がすべて同じ位置になると、繰り返し樹脂層を形成している間に、転写基板の剥離のときに加わる力が同じ箇所に集中する。本発明の記録媒体は、この力の集中を避けるために、少なくとも１つの樹脂層の内周側端部の位置をずらしている。さらに、本発明の記録媒体においては、少なくとも１つの樹脂層（便宜的にＡと呼ぶ）の内周側端部を、その後に形成される他の樹脂層（便宜的にＢと呼ぶ）が覆っていて、樹脂層Ｂに密着させた転写基板を剥離する際に、樹脂層Ａが受ける力をより小さくしている。
【００１６】
本発明はまた、内周と外周とを有する基板上に、３以上の情報記録層と、前記情報記録層と情報記録層との間に配置された樹脂層とを有する多層情報記録媒体の製造方法であって、
各樹脂層を形成することが
（ｉ）放射線硬化性樹脂を情報記録層上に塗布して未硬化の樹脂層を形成する工程、
（ii）前記未硬化の樹脂層と、表面に凹凸を有する転写基板とを貼り合せる工程、
（iii）前記未硬化の樹脂層を硬化する工程、および
（iv）前記硬化した樹脂層の表面から転写基板を剥離する工程を
含み、
工程（ｉ）〜（iv）を、（Ｍ−１）回（Ｍは情報記録層の数）繰り返し、
少なくとも１回の工程（ｉ）において、未硬化の樹脂層の内周側端部が、前回形成した樹脂層の内周側端部とは異なるように、放射線硬化性樹脂を塗布する領域を選択し、
少なくとも１回の工程（ｉ）において、未硬化の樹脂層の内周側端部が、前回形成した樹脂層の内周側端部を覆うように、放射線硬化性樹脂を塗布する領域を選択する、
多層情報記録媒体の製造方法を提供する。この製造方法によれば、前記本発明の記録媒体を製造することができる。
【００１７】
本発明の製造方法において使用する放射線硬化性樹脂は、放射線が照射されると、硬化する樹脂であり、放射線は、例えば、紫外線、可視光線、電子線、およびＸ線である。放射線硬化性樹脂は、紫外線硬化性樹脂であることがコストおよび工程性の点から好ましい。紫外線硬化性樹脂は、具体的には、アクリル系樹脂である。
【００１８】
樹脂層の形成が数回実施される間に、任意の１回もしくは数回、または全ての工程（ｉ）において、放射線硬化性樹脂の塗布は、樹脂が基板に接するように、樹脂の塗布領域を適切に選択して実施してよい。それにより、第ｋ樹脂層が、第ｋ−１層（ｋは２以上の整数）の樹脂層の内周側端部を覆う構成を得ることができる。
【発明の効果】
【００１９】
本発明の多層情報記録媒体及びその製造方法によれば、中間層である樹脂層を形成するときに、樹脂層に密着させた転写基板剥離に起因する、不良品の数または割合を低下させることができる。よって、本発明は、良好に大量の情報の記録再生を行うことができる多層情報記録媒体を、安定して製造することを可能にする。
【発明を実施するための最良の形態】
【００２０】
以下、本発明の実施の形態を、図面を参照して説明する。以下においては、レーザ光の照射によって記録再生を実施するディスク形状の情報記録媒体の構造例を説明する。尤も、本発明の媒体の形状は、ディスクの形状に限定されない。
【００２１】
［ディスク作製のプロセスおよび樹脂層の基本的な構成］
最初に、多層情報記録媒体およびその作製方法の一例として、４層ディスクを作成するプロセスを説明する。本発明の記録媒体における樹脂層の基本的な構成もまた、ここで説明する。
【００２２】
図３は、本発明の４層情報記録媒体の一例の断面図である。４層情報記媒体は、片面に凹凸で形成されたピットおよび／または案内溝等が形成された基板３０１と、基板３０１のピット等が形成された面に配置された第１情報記録層３０２と、第１情報記録層３２０上に配置された第１樹脂層３０３と、第１樹脂層３０３上に配置された第２情報記録層３０４と、第２情報記録層３０４上に配置された第２樹脂層３０５と、第２樹脂層３０５上に配置された第３情報記録層３０６と、第３情報記録層３０６上に形成された第３樹脂層３０７と、第３樹脂層３０７上に配置された第４情報記録層３０８と、第４情報記録層３０８上に配置された透明層３０９とを含んでいる。第１樹脂層３０３、第２樹脂層３０５、および第３樹脂層３０７はそれぞれ、基板３０１から遠い側の面にピットおよび／または案内溝を構成する凹凸を有し、この凹凸を有する面に、それぞれ、第２情報記録層３０４、第３情報記録層３０６、および第４情報記録層３０７が形成されている。基板３０１は、記録および／または再生に必要な情報を有するため、「信号基板」とも呼ばれる。また、情報記録層は、通常、複数の薄い膜が積層されて成るから、「薄膜層」とも呼ばれる。
【００２３】
基板３０１は、情報記録媒体の反りを防止し、良好な剛性を確保し、さらにはＣＤやＤＶＤ、Ｂｌｕ−ｒａｙ Ｄｉｓｃなどの光ディスクと厚み互換を有するような、寸法および材料を選択して形成される。具体的には、基板３０１は、外径φ１２０ｍｍ、厚さが１．０〜１．１ｍｍ程度のポリカーボネートやアクリル系樹脂の円板から形成されている。基板３０１は、常套のスタンパを用いて、射出圧縮成形等の樹脂成形によって作製され、片面に、凹凸で形成されたピットや案内溝等が形成されている。基板の中心部には、プレーヤが信号を記録再生する際に、ディスクを保持して回転させるために用いる直径φ１５ｍｍの中心穴が設けられている（図示せず）。この中心穴の直径が、基板の内周を規定することとなる。ここでは、基板３０１として、ポリカーボネートを用いて作製されたものを使用するプロセスを説明する。
【００２４】
基板３０１の上には、放射線硬化性樹脂からなる樹脂層３０３、３０５、３０７や透明層３０９が積層形成される。放射線硬化性樹脂として、この形態においては紫外線硬化性樹脂を使用している。他の形態においても同様である。尤も、他の放射線硬化性樹脂で樹脂層を形成してよいことはいうまでもない。
【００２５】
樹脂材料が積層されると、積層後の情報記録媒体においては、紫外線硬化性樹脂特有の光硬化収縮によって、基板３０１の情報面側が凹となる、反りが発生する傾向にある。従って、基板３０１は、予め情報面側が全体として凸となる反りを有するように形成され、それにより樹脂層３０３、３０５、３０７および透明層３０９の積層後の情報記録媒体の反りが平坦になるようにしている。
【００２６】
第１情報記録層３０２は、例えば、Ａｌ、Ａｇ、Ａｕ、Ｓｉ、ＳｉＯ２などの金属、半導体または誘電体を、スパッタリングまたは蒸着等の方法を用いて、形成する。第２情報記録層３０４、第３情報記録層３０４および第４情報記録層３０６についても同様である。情報記録層として形成すべき層は、媒体の種類によって異なり、具体的な層の形成方法は既に良く知られているので、ここではその詳細な説明を省略する。
【００２７】
第１樹脂層３０３は、記録再生光に対して、実質的に透明（透過性を有する）であり、紫外線硬化性樹脂から形成されている。紫外線硬化性樹脂は、硬化光波長を紫外線帯域に設けられた樹脂である。紫外線硬化性樹脂は、紫外線以外の波長の光を照射しても硬化せず、任意に紫外線を照射することにより硬化させることができるので、樹脂層の形状制御において都合よく用いられる。第２樹脂層３０５および第３樹脂層３０７も、上記第１樹脂層３０３と同様の材料で形成されている。具体的には、上記において例示した紫外線硬化性樹脂を使用できる。
【００２８】
透明層３０９は、記録再生光に対してほぼ透明（透過性を有する）で、例えばアクリルを主成分とした紫外線硬化性樹脂から形成されている。透明層３０９は、紫外線硬化性樹脂を、液体の形態で、第４情報記録層３０８の上に塗布した後、紫外線を照射して形成する。透明層３０９は、各樹脂層や情報記録層を覆い、内周部と外周部において基板と接着するように形成されている。
【００２９】
次に、より具体的な樹脂層の形成方法について説明する。
樹脂層は、おおよそ１０μｍの厚さを有するように形成される。尤も、樹脂層の厚さはこれに限定されず、５〜３０μｍであってよい。そのような厚さの樹脂を塗布する方法として、スピンコート法、スクリーン印刷法、オフセット印刷法、およびインクジェット法などが適している。本発明の媒体の製造においては、樹脂が均一に塗布可能であり、樹脂中に気泡などの欠陥が混入しない方法であれば、樹脂の塗布方法は特に限定されない。
【００３０】
本発明の媒体の作製においては、後述するように、樹脂層の内周側端部の位置を制御することが要求される。スピンコート法は、内周側に樹脂を滴下し、遠心力によって、樹脂を塗布する工法である。このスピンコート法を採用する場合、樹脂を滴下する位置を適宜選択することによって、樹脂層の内周側端部の位置を制御することができる。また、オフセット印刷法およびインクジェット法を採用する場合には、樹脂の内周の滴下位置を任意に設計することにより、内周側端部の位置を制御することが可能である。
【００３１】
ここでは、樹脂の塗布方法の好ましい例として、スクリーン印刷法を、図４を用いて詳細に説明する。スクリーン印刷法は次の手順に従って実施される。第１情報記録層４０２が形成された基板４０１を、真空吸着などの手段によって、ターンテーブル４０３に固定する（図４（Ａ）参照）。この上に、スクリーン枠４０６を固定し、紫外線硬化性樹脂４０５を、穴が開いていない部分に供給し、スクレッパー４０７を摺動することにより、スクリーン４０４部に樹脂を充填する（図４（Ｂ）参照）。
【００３２】
次に、スキージ固定治具４０８により固定されたスキージ４０９が、スクリーン４０４の上部に圧力を加えながら、摺動することによって孔板（スクリーン）４０４の開口部から紫外線硬化性樹脂４０５を基板４０１へ押し出す（図４（Ｃ）参照）。この動作、いわゆるスクリーン印刷によって、樹脂が塗布された基板を得ることができる（図４（Ｄ）参照）。また、基板４０１を入れ替え、図４（Ａ）〜（Ｄ）に示す工程を繰り返すことによって、表面に樹脂が塗布された基板を、複数得ることができる。
【００３３】
図５を参照して、スクリーン５０４の形状と形成される樹脂層の範囲を説明する。
所定の領域にのみ樹脂層を形成するため、スクリーン５０４は、樹脂層を形成すべきでない部分を塞いで使用する。スクリーン５０４の所定部分を塞ぐ方法は次のとおりである。まず、スクリーン枠５０１に、スクリーン材料となる紗を張り、その表面に感光乳剤をコーティングする。次いで、コーティングされたスクリーン用材料の所定の領域（樹脂層を形成する領域）以外を遮光マスクによりマスクし、スクリーン用材料に露光装置を用いて紫外線を一定時間照射する。次いで、紫外線照射によって露光された感光乳剤を水噴射などによって水洗することにより現像する。
【００３４】
遮光マスクで露光させなかった部分では、感光乳剤が残り、紗の孔を塞いでいる。この部分が図２において、５０２Ａ、及び５０２Ｂの領域に該当する。露光により紗が露出した部分が５０３に該当する。
【００３５】
スクリーン枠５０１は、例えば、木材、アルミニウム、ステンレス、またはプラスチックなどの材料を用いて形成することができる。特に、軽量かつ剛性の高いアルミニウムが好ましい。スクリーン材料となる紗は、シルク、ナイロン（登録商標）、テトロン（登録商標）、Ｖスクリーン（登録商標）、またはステンレスなどから成るものであってよい。外圧に対する復元性の点から、Ｖスクリーンが好ましい。感光乳剤として、例えば、ジアゾニウム塩または重クロム酸塩を、ＰＶＡまたは酢酸ビニルエマルジョンに混合し溶解させたものを用いることができる。スクリーン材料の所定の位置におけるメッシュ数（１インチあたりの線材の本数）は、１００〜６００であると好ましい。メッシュ数がこの範囲内にあれば、樹脂含有塗料の通過不良および塗布ムラを生じさせることなく、樹脂含有材料を塗布できる。スクリーンの穴は網目に限定されない。
【００３６】
ここでは、スクリーン枠５０１としてアルミニウムを使用し、基板への負荷が小さくなるようにＶスクリーンを使用した、スクリーン５０４を用いている。もちろん、他の材料から成るスクリーン枠および／または他の材料から成る紗を用いてよいことはいうまでもない。
【００３７】
スクリーン印刷の際、樹脂の粘度が低いと、塗布後の樹脂が流動し、基板の端面で樹脂がはみ出る、または樹脂の盛り上がりが生じるという、不都合がある。樹脂粘度が高いと、スクリーンを通って樹脂が転移し難くなる。工程中の温湿度変化による樹脂粘度の低下影響等を考慮すると、樹脂の粘度は３０ｃｐｓから１００００ｃｐｓ範囲内であることが好ましい。
【００３８】
スクリーン５０４において、紗が露出した部分の位置および形状５０３を選択することにより、紫外線硬化性樹脂の基板５０５上への塗布範囲を制限することが可能である。よって、スクリーン５０４を用いる場合には、５０３と５０２Ａの境界位置を変えることで、形成する樹脂層の内周側端部の位置を制御することができる。基板５０５上に、スクリーン５０４を用いたスクリーン印刷法により、樹脂の塗布を行った場合は、樹脂の塗布領域は５０６のようになる。
【００３９】
次に、この樹脂層に案内溝、及びピットを形成するプロセスを、図６を参照して説明する。紫外線硬化性樹脂６０７の塗布が完了した第１基板６０８は、次に真空槽６０１の中に搬送される。このとき同時に転写基板６０２も真空槽６０１の中に搬送される。
【００４０】
転写基板６０２は、紫外線硬化性樹脂６０７との剥離性が良好な材料であるポリオレフィン樹脂を用いて形成される。転写基板６０２の厚みは０．６ｍｍ程度である。この厚みは、厚みが１．１ｍｍの基板の第１基板６０８から転写基板６０２を剥離する際に、基板の厚みが異なることによる剛性の差を利用し、転写基板６０２を反らせて剥離することを目的として選択されている。
【００４１】
ポリオレフィン樹脂は、第１基板６０８の成形時と同様に、常套のスタンパを用いて、射出圧縮成形等の樹脂成形によって、片面に、凹凸で形成されたピットおよび／または案内溝を容易に作製できることから、好ましく用いられる。また、ポリオレフィン樹脂は、紫外線を良好に透過する特性も有している。図６（Ｄ）に示すように、紫外線は、転写基板６０２を経由して、紫外線硬化性樹脂に照射されるため、ポリオレフィン樹脂からなる転写基板６０２は、紫外線硬化性樹脂を効率良く硬化させ得る。また、ポリオレフィン樹脂に代えて、ポリカーボネート材料を用いても、同様の効果を得られる。
【００４２】
転写基板６０２の中心部には、中心穴が設けられている（図６（Ａ）参照）。この中心穴は、センターボスを介して、転写基板６０２と第１基板６０８の中心を一致させるために、設けられる。
【００４３】
真空槽６０１内は、ロータリーポンプまたはメカニカルブースターポンプなどの真空ポンプ６０３によって排気され、短時間で真空雰囲気となる。真空槽６０１内が１００Ｐａ以下の真空度に達したときに、転写基板６０２を第１基板６０８上に重ね合わせる。それから、転写基板６０２の上部に設置されている加圧プレート６０４を用いて、転写基板６０２に圧力を加える。それにより、紫外線硬化性樹脂６０７に、転写基板６０２に形成されている信号が転写される。真空槽６０１内が真空雰囲気であることから、紫外線硬化性樹脂６０７と転写基板６０２は、その間に気泡が混入することなく、貼り合せることができる（図６（Ｂ）参照）。
【００４４】
貼り合わされた第１基板６０８と転写基板６０２は真空槽６０１から取り出される。それから、転写基板６０２の上部に配置されている、紫外線照射装置６０５を用いて、紫外線を、紫外線硬化性樹脂の全面に照射して、紫外線硬化性樹脂６０７を硬化する。紫外線は、転写基板６０２を経由して照射される。次いで、転写基板６０２を剥離するために、転写基板６０２と紫外線硬化性樹脂６０７の間に圧縮エアーを吹き込む。これらの工程を経て、ピットおよび／または案内溝を有する樹脂層６０６が形成される。
【００４５】
転写基板を剥離する工程としては、ａ）基板と転写基板の間に、治具を挿入し、圧縮空気を吹き付けることにより、剥離する方法、およびｂ）あらかじめ、転写基板の中心穴の直径を、基板の中心穴の直径より小さくして、転写基板の内周部を突出させ、突出部を剥離の開始部にして、内周部から転写基板を剥離させる方法などが提案されている。剥離の方法は特に限定されないが、図１を参照して、ｂ）の剥離方法を、より詳細に説明する。
【００４６】
まず、テーブル１０１に基板１０２をおき、その上部より、吸着アーム１０３をとりつける。基板１０２上には、紫外線硬化性樹脂１０４、転写基板１０５が積層されている。ここで、紫外線硬化性樹脂１０４は、既に硬化している。
【００４７】
テーブル１０１には、基板１０２と接する面に吸着穴が開いており（図示せず）、減圧することによって、テーブル１０１に基板１０２を固定することができる。また、吸着アーム１０３にも、転写基板１０５側に吸着穴があり（図示せず）、減圧することによって、吸着アーム１０３を転写基板１０５に固定することができる。基板１０２の内径は１５ｍｍ、転写基板１０５の内径は１３ｍｍである。よって、中心穴部分では、転写基板１０５の穴が１ｍｍ突き出している（図１（Ａ））。剥離ピン１０６がテーブルの中に装備されていて、中心穴を通過できるようになっている。
【００４８】
剥離は、次のプロセスにより実施される。まず、基板１０２をテーブル１０１に固定し、吸着アーム１０３を転写基板１０５に固定する。その後、剥離ピン１０６を上部に突き上げる（図１（Ｂ））。同時に、吸着アーム１０３も、上昇させる。転写基板１０５の厚みは、第１基板１０２の厚みより、小さく剛性が低いため、図のように、転写基板１０５が反る。
【００４９】
次に、図１（Ｂ）の拡大図に示すように、剥離ピン１０６に設けられた、エアブロー突出口１０７から、圧縮空気を図中の矢印の方向に噴出する。この圧縮空気によって、転写基板１０５を、紫外線硬化性樹脂１０４から剥離することができる。エアブロー突出口は、剥離ピンの外周線上に２以上設けてよい。
【００５０】
上記の剥離プロセスにおいて、剥離の失敗が発生しやすい箇所が内周側端部１０８部分である。硬化後の紫外線硬化性樹脂１０４が、第１基板１０２上に残存するか、転写基板１０５に付着するかは、内周側端部１０８と第１基板１０２の密着力による。内周側端部１０８での密着力が弱いと、紫外線性硬化樹脂１０４が転写基板１０５に付着してしまうため、その媒体は欠陥品になる。紫外線硬化性樹脂１０４と転写基板１０５の密着力は、同一箇所に何度も剥離力がかかると、弱くなる。このことが、多層情報記録媒体の製造を難しくしている
【００５１】
即ち、多層情報記録媒体を作製する際には、樹脂層を複数積層するため、積層するたびに、信号転写基板の剥離プロセスが必要になる。つまり、積層する層の数が多いほど、剥離時に内周側端部１０８により大きい剥離力がかかることになり、剥離プロセスの繰り返しは、剥離時の欠陥を生み出す要因となっている。そこで、本実施の形態では、紫外線硬化性樹脂からなる樹脂層を積層する場合に、それぞれの樹脂層の内周側端部の位置を変えて、局部的な密着力の低下を防止した。
【００５２】
図１（Ｃ）には、第２情報記録層（図示せず）の形成、２回目の紫外線硬化性樹脂１０９の塗布、２層目の紫外線硬化性樹脂１０９への転写基板１１１の貼り合せ、および紫外線照射の工程が終了した基板１１２を剥離テーブルに設置し、剥離ピン１０６で突き上げた様子を表す。紫外線硬化性樹脂１０９の内周側端部１１０は、１層目の樹脂層１０４の内周側端部１０８よりも、基板１１２の内周により近くなっている。即ち、紫外線硬化性樹脂１０９により形成される樹脂層の内周の直径は、樹脂層１０４の内周の直径よりも小さい。樹脂層の内周側端部の位置は、スクリーンに塗布する乳剤のパターンを変更することにより、容易に制御することができる。
【００５３】
２層目の紫外線硬化性樹脂に密着させた転写基板１１１を剥離させるとき、剥離ピン１０６で突き上げた瞬間に、剥離力が最も大きくかかる箇所は２層目の紫外線硬化性樹脂１０９の内周側端部１１０になる。よって、第１樹脂層１０４の内周側端部１０８にかかる剥離力を、小さくすることができる。この効果により、剥離工程において転写基板１１１に紫外線硬化性樹脂１０９が付着することが防止され、剥離欠陥の発生確率を、大幅に低減することができる。
【００５４】
図示するように、紫外線硬化性樹脂１０９は、第１樹脂層１０４の内周側端部１０８を覆っている。このように、第１樹脂層の内周側端部を覆うことによって、紫外線硬化性樹脂１０９に密着させた転写基板１１１を剥離するときに、樹脂層１０４の内周側端部１０８に掛かる負荷をより小さくすることができる。
【００５５】
図３に示すような、４層情報記録媒体を得るには、樹脂層をさらに１層形成する必要がある。３層目の樹脂層は、その内周側端部の位置が、２層目の樹脂層の内周側端部とは異なるように形成してよく、あるいは、２層目の樹脂層の内周側端部の位置と同じとなるように形成してよい。本発明の効果は、隣り合う２つの樹脂層の組み合わせのうち、少なくとも１つの組み合わせ（図１（Ｄ）において、第１樹脂層と第２樹脂層の組み合わせ）において、樹脂層の内周側端部の位置が互いに異なり、かつ、少なくとも１つの樹脂層（図１（Ｄ）において第１樹脂層）の内周側端部が、別の樹脂層（図１（Ｄ）において第２樹脂層）によって覆われていることによって、十分に得られる。よって、第２樹脂層の内周側端部の位置と３層目の樹脂層の内周側端部の位置がそろっていてもよい。図３に示す形態では、第３樹脂層の内周側端部は、第１樹脂層の内周側端部と第２樹脂層の内周側端部との間に位置している。以下に、本発明の記録媒体のより具体的な形態を説明する。
【００５６】
（実施の形態１）
図７（Ａ）に、４層情報記録媒体の一形態を断面図で示す。図では、基板７０１上に第１情報記録層７０２、第１樹脂層７０６、第２情報記録層７０３、第２樹脂層７０７、第３情報記録層７０４、第３樹脂層７０８、第４情報記録層７０５、および保護層７０９を、この順に積層した情報記録媒体の断面図を表している。
【００５７】
本実施の形態では、剥離時の欠陥の発生を防止するために、各層の樹脂層の内周側端部の位置が全て異なり、全ての樹脂層の内側端部が基板７０１に接している。例えば、基板７０１の内径（中心穴の直径）が１５ｍｍであるときに、第１樹脂層７０６の内径(内周側端部により規定される円の直径に等しい）は２３ｍｍ、第２樹脂層７０７の内径は２２ｍｍ、第３樹脂層７０８の内径は２１ｍｍとなるように、３つの樹脂層を構成することができる。
【００５８】
尤も、実際には、内周側端部が形成する円の中心位置と基板の中心位置とがずれていることがある。あるいは、内周側端部の形状が真円でなく、ひずんでいる、または楕円形状であることがある。そのため、内周側端部の位置には幅があり、約５００μｍ程度、ずれることもある。そのようなずれは許容される。所期の効果を得るためには、隣り合う樹脂層の組み合わせにおいて、好ましくは、２つの内周側端部同士の距離（基板の半径方向と平行な距離）は１００μｍ以上であることが好ましい。
【００５９】
本実施の形態の多層記録媒体を作製する場合、各樹脂層を形成するときに、転写基板の剥離に伴って、大きな剥離力が加わる。図示した形態のように、樹脂層を形成する場合には、剥離力が加わる場所は、樹脂層ごとに異なる。各層の剥離力が最も大きくかかる箇所を図７（Ａ）の拡大図に示す。第１樹脂層７０６の形成時に転写基板を剥離する工程では、第１樹脂層７０６の内周側端部７１０に、剥離の負荷がかかる。また、第２樹脂層７０７の形成時に転写基板を剥離する工程では、第２樹脂層７０７の内周側端部７１１に負荷がかかる。同様に、第３樹脂層７０８を形成するときに、転写基板を剥離する工程では、第３樹脂層７０８の内周側端部７１２に負荷がかかる。このように、全ての樹脂層の内周側端部の位置がそれぞれ異なる構成によって、剥離時に一箇所に負荷が掛かることを緩和または防止できる。
【００６０】
さらに、この形態においては、第１樹脂層の内周側端部７１０が、第２樹脂層７０７で覆われて、これと接着しており、第２樹脂層７０７の内周側端部７１１が、第３樹脂層７０８で覆われて、これと接着している。この構成により、第２樹脂層７０７および第３樹脂層７０８を形成するときに、第１樹脂層７０６の内周側端部に掛かる負荷がより小さくなり、第３樹脂層７０８を形成するときに、第２樹脂層７０７の内周側端部に掛かる負荷がより減少する。
【００６１】
図７（Ａ）に示す構成がもたらす効果は、Ｍの数（情報記録層の数）がより大きいほど、より顕著に達成される。Ｍの数が大きいほど、樹脂層の数も多くなるため、先に形成された樹脂層（例えば、第１樹脂層）の内周側端部は、繰り返し剥離力に曝される。この構成によれば、第（Ｍ−２）樹脂層までの全ての樹脂層の内周側端部が覆われており、かつ全ての内周側端部の位置が、基板の半径方向において、一致していないから、欠陥の発生を有効に防止できる。
【００６２】
また、このような構成によれば、樹脂層の内周側端部の位置をずらすことにより生ずる段差を、小さく又は無くすことができる。例えば、図７（Ａ）に示す媒体において、３つの樹脂層を形成した後で、樹脂層が形成する段差はない。後述する図７（Ｂ）に示す媒体において、３つの樹脂層を形成した後で、樹脂層が形成する段差は１つである。これに対し、３つの樹脂層を、第１樹脂層の内径＜第２樹脂層の内径＜第３樹脂層の内径となるように作製すると、段差が２つ生じることとなる。
【００６３】
樹脂層が形成する段差は、カバー層を形成するときに、カバー層の仕上がりの美観に影響を与える。例えば、カバー層を、シートおよびシートをカバー層に接着する接着剤により形成する場合に、樹脂層の端面に段差が存在すると、気泡が混入しやすくなる。また、カバー層を、保護層７０９として、例えば、スピンコート法で形成する場合には、中心穴近傍に設置するキャップの安定性が、樹脂層の内周側端部の形状で決定される。そのため、キャップを置きやすく、水平に保ちやすいように、樹脂層は、段差がより少なく、またよりなめらかな形状となるように形成することが好ましい。
【００６４】
さらに、一般的に、光学的情報記録媒体において、隣り合う樹脂層は、基板の内周部および外周部において、情報記録層を介在せずに、直接的に接着されて一体化している。そのため、転写基板を剥離するときに、転写基板が密着している樹脂層だけでなく、それと一体化している下層の樹脂層にも、力が作用して、上の樹脂層と一緒に転写基板の側へ移動する（即ち、剥離する）ことがある。本発明の記録媒体においては、剥離の際に負荷が加わる位置を分散させるように、２以上の樹脂層を構成するので、隣り合う樹脂層が接着一体化していても、樹脂の剥がれが生じにくい。樹脂層は、内周部では、例えば、直径１８ｍｍ〜３４ｍｍまでの範囲内、好ましくは直径１８ｍｍ〜２６ｍｍの範囲内にある位置から情報記録層が開始するまでの位置（直径約４２ｍｍ）までの環状領域で、互いに接着しており、外周部では直径が１１９ｍｍから直径１２０ｍｍまでの環状領域で、互いに接着している。
【００６５】
保護層７０９の形成には、凹凸および案内溝の転写、ならびに転写基板の剥離というプロセスが含まれないので、その内周側端部の位置を限定する必要が無い。したがって、保護層７０９の内周側端部の位置は、図示するように、第３樹脂層７０８の内周側端部よりも、基板の外周により近くしてもよいし、第３樹脂層７０８の内周側端部よりも、基板の内周により近くして、樹脂層７０６、７０７および７０８全体を覆うようにしてもよい。
【００６６】
本実施の形態の記録媒体は、転写用基板を中心穴から剥離する工程を含む方法によって製造されるものであるから、樹脂層の内周側端部に掛かる負荷を考慮して、樹脂層の内周側端部を上記のように構成した。別の形態において、樹脂層の外周側端部を、同様の構成としてよい。このことは、後で説明する全ての形態についてあてはまる。
【００６７】
樹脂層は、前述のように、スクリーン印刷法により形成される。あるいは、樹脂層はスピンコート法によって形成してよい。但し、スピンコート法を用いる場合には、キャップが樹脂層の内周端面と接触するので、本発明の記録媒体のように、樹脂層の内周側端部の位置がそろっていないときには、キャップの位置安定性が低下することがある。そのため、樹脂層の形成方法として、スクリーン印刷法が好ましく用いられ、あるいはインクジェット法が好ましく用いられる。
【００６８】
（実施の形態２）
図７（Ｂ）に、４層情報記録媒体の別の形態を断面図で示す。図では、基板７１３上に第１情報記録層７１４、第１樹脂層７１８、第２情報記録層７１５、第２樹脂層７１９、第３情報記録層７１６、第３樹脂層７２０、第４情報記録層７１７、および保護層７２１を、この順に積層した情報記録媒体の断面図を表している。
【００６９】
本実施の形態においても、剥離時の欠陥発生を防止するために、各層の樹脂層の内周側端部の位置がそれぞれ異なっている。具体的には、第１樹脂層７１８の内周側端部が基板７１３の内周に最も近く、第２樹脂層７１９の内周側端部は、第１樹脂層７１８の内周側端部よりも基板の外周に近く、第３樹脂層７２０の内周側端部は第２樹脂層７１９の内周側端部より基板の内周に近く、第３樹脂層７２０は、第２樹脂層７１９の内周側端部を覆っている。第３樹脂層７２０の内周側端部は、第１樹脂層の内周側端部よりも、基板の外周に近い。例えば、基板７０１の内径が１５ｍｍであるとき、第１樹脂層７１８の内径（内周側端部により規定される円の直径に等しい）は２１ｍｍ、第２樹脂層７１９の内径は２２ｍｍ、第３樹脂層７２０の内径は２１．５ｍｍとなるように、３つの樹脂層を構成することができる。
【００７０】
本実施の形態の多層記録媒体の作製を作製する場合にも、各樹脂層を形成するときに、転写基板の剥離に伴って、大きな剥離力が加わる。剥離力が加わる場所を図７（Ｂ）の拡大図を参照して説明する。第１樹脂層７１８の形成時に、転写基板を剥離する工程では、内周側端部７２４に、第２樹脂層７１９の形成時に転写基板を剥離する工程では、内周側端部７２３に、第３樹脂層７２０の形成時に転写基板を剥離する工程では、内周側端部７２２に剥離時の負荷がかかる。このように、この形態においても、各樹脂層を形成するときに負荷が掛かる位置は、樹脂層ごとに異なっている。それにより、剥離による欠陥を減らすことができる。
【００７１】
図７（Ｂ）に示すように、本実施の形態では、第２樹脂層７１９の内周側端部７２３が、第１樹脂層７１８によって覆われていて、これと接着している。それにより、第３樹脂層７２０の形成の際に、第２樹脂層７１９の内周側端部７２３に加わる力をより小さくし得る。
【００７２】
隣り合う樹脂層が基板の内周部において、情報記録層を介さずに、直接的に接着していることは、この形態の記録媒体においても同様である。この形態の記録媒体においても、第１の形態と同様に、隣り合う樹脂層の組み合わせ、即ち、第１樹脂層と第２樹脂層との組み合わせ、および第２樹脂層と第３樹脂層との組み合わせにおいて、内周側端部の位置が互いに異なっており、かつ全ての樹脂層の内周側端部の位置がそれぞれ異なっているから、転写基板を剥離する工程で欠陥が生じにくい。
【００７３】
保護層７２１の形成には、凹凸および案内溝の転写、及び転写基板の剥離というプロセスが含まれないので、その内周側端部の位置は特に限定されない。図示したように、保護層７２１の内周側端部は、第３樹脂層７２０の内周側端部の位置より、基板の外周により近い位置としてよい。
【００７４】
次に、実施の形態１および２の変形例を説明する。樹脂層が３層積層される場合に、各樹脂層の内周側端部がとり得る位置を、図１０（Ａ）〜図１０（Ｆ）を用いて説明する。これらの図は、理解の容易のため、基板の内周付近の構成のみを示し、図においては、基板１０００、１０１０、１０２０、１０３０、１０４０、１０５０、第１樹脂層１００１、１０１１、１０２１、１０３１、１０４１、１０５１、第２樹脂層１００２、１０１２、１０２２、１０３２、１０４２、１０５２、第３樹脂層１００３、１０１３、１０２３、１０３３、１０４３、１０５３、第１樹脂層の内周側端部１００４、１０１４、１０２４、１０３４、１０４４、１０５４、第２樹脂層の内周側端部１００５、１０１５、１０２５、１０３５、１０４５、１０５５、第３樹脂層の内周側端部１００６、１０１６、１０２６、１０３６、１０４６、１０５６のみを示す。
【００７５】
図１０（Ａ）に示す構成は、実施の形態１に相当し、図７（Ａ）に示す構成と同じである。隣り合う樹脂層の組み合わせの各々において、樹脂層の内周側端部の位置が互いに異なり、すべての樹脂層の内周側端部が、基板の半径方向において、それぞれ異なる位置にあり、かつ全ての樹脂層の内周側端部１００４、１００５および１００６が基板１０００に接している。第１樹脂層１００１の内周側端部１００４は第２樹脂層１００２に覆われ、第２樹脂層の内周側端部１００５は第３樹脂層１００３に覆われている。
【００７６】
図１０（Ｂ）は、隣り合う樹脂層の組み合わせの各々において、樹脂層の内周側端部の位置が互いに異なり、すべての樹脂層の内周側端部が、基板の半径方向において、それぞれ異なる位置にあり、かつ第１樹脂層１０１１の内周側端部１０１４および第２樹脂層１０１２の内周側端部１０１５が、第３樹脂層１０１３で覆われている構成を示す。第３樹脂層１０１３の内周側端部１０１６が、基板１０１０の内周に最も近い。この構成においても、３つの樹脂層は段差を形成せず、図９（Ａ）（図７（Ａ））に示すものと同様に、カバー層を形成するときの美観を良好にする。
【００７７】
図１０（Ｃ）に示す構成は、実施の形態２に相当し、図７（Ｂ）に示す構成と同じである。隣り合う樹脂層の組み合わせの各々において、樹脂層の内周側端部の位置が互いに異なり、すべての樹脂層の内周側端部が、基板の半径方向において、それぞれ異なる位置にあり、かつ、第１樹脂層１０２１の内周側端部１０２４が基板１０２０の内周に最も近く、第２樹脂層１０２２の内周側端部１０２５が基板１０２０の外周に最も近い。第３樹脂層１０２３の内周側端部１０２６は、第１樹脂層０１１に接している。第２樹脂層１０２２の内周側端部１０２５は、第３樹脂層１０２３で覆われている。この構成においては、３つの樹脂層により１つの段差が形成される。
【００７８】
図１０（Ｄ）は、隣り合う樹脂層の組み合わせの各々において、樹脂層の内周側端部の位置が互いに異なり、すべての樹脂層の内周側端部が、基板の半径方向において、それぞれ異なる位置にあり、かつ、第２樹脂層１０３２の内周側端部１０３５が基板１０３０の内周に最も近く、第３樹脂層１０３３の内周側端部１０３６が基板１０３０の外周に最も近い構成を示す。第１樹脂層１０３１の内周側端部１０３４は、第２樹脂層１０３２で覆われている。この構成においては、３つの樹脂層により１つの段差が形成される。
【００７９】
図１０（Ｅ）は、隣り合う樹脂層の組み合わせの各々において、樹脂層の内周側端部の位置が互いに異なり、すべての樹脂層の内周側端部が、基板の半径方向において、それぞれ異なる位置にあり、かつ、第２樹脂層１０４２の内周側端部１０４５が基板１０４０の内周に最も近く、第１樹脂層１０４１の内周側端部１０４４が基板１０４０の外周に最も近い構成を示す。第１樹脂層１０４１の内周側端部１０４４は、第２樹脂層１０４２で覆われている。この構成においては、３つの樹脂層により１つの段差が形成される。
【００８０】
図１０（Ｆ）は、隣り合う樹脂層の組み合わせの各々において、樹脂層の内周側端部の位置が互いに異なり、第１樹脂層１０５１の内周側端部１０５４と、第３樹脂層１０５３の内周側端部１０５６とが、基板の半径方向において、同じ位置にあり、かつ、第２樹脂層１０５２の内周側端部１０５５が基板１０５０の内周に最も近い。第１樹脂層１０５１の内周側端部１０５４は、第２樹脂層１０５２で覆われている。この構成においては、３つの樹脂層により１つの段差が形成される。また、第１樹脂層の内周側端部１０５４と第３樹脂層の内周側端部１０５６が同じ位置にあるため、第３樹脂層を形成するときに、第１樹脂層に負荷がかかりやすい。この構成は、３つの樹脂層の内周側端部の位置がそろっている構成よりも、樹脂層の剥離が生じにくいという点で好ましい。
【００８１】
図面においては、理解の容易のため、本発明の記録媒体を模式的に示している。樹脂層は、実際には角張ったものではなく、図１１に示すように、曲線で規定される輪郭を有していてよい。多くの場合、樹脂層は、曲線で規定される輪郭を有する。図１１は、図１０（Ａ）に相当する。
【００８２】
実施の形態１および２として、３つの樹脂層を有する、４層記録媒体を説明した。樹脂層（情報記録層）の数は限定されず、樹脂層の数が４以上であっても、同じ原理を適用できる。例えば、樹脂層の数が４であるときには、図１０（Ｂ）に示す構成を応用して、第１の樹脂層および第４の樹脂層の内周側端部のみが、基板に接するようにしてよい。あるいは、図１０（Ｆ）に示す構成を応用して、第１樹脂層および第３樹脂層の内周側端部の位置を同じにし、第２樹脂層および第４樹脂層の内周側端部の位置を同じにし、第４樹脂層および第２樹脂層がそれぞれ、第３樹脂層および第１樹脂層の内周側端部を覆うようにしてよい。このように、隣り合う樹脂層の組み合わせのうち、少なくとも１つの組み合わせにおいて、樹脂層の内周側端部の位置が互いに異なる構成によって、転写基板を剥離する工程にて生じる欠陥を低減することができる。
【００８３】
以上説明したように、形成する樹脂層の内周側端部の位置（即ち、樹脂層の内縁）を、少なくとも１つの隣り合う樹脂層の組み合わせにおいて、互いに異なるようにする構成によって、剥離時に発生する欠陥を大幅に低減することができる。また、各樹脂層の内周側端部の位置は、例えば、スクリーン印刷法によって、容易に所望の位置に設定できるので、追加のプロセスおよび設備は、特に必要とされない。よって、本発明の多層情報記録媒体は、従来の設備をそのまま用いて、製造することが可能である。
【００８４】
（実施の形態３）
実施の形態３として、樹脂層を硬化する際に、領域を分けて、領域によって紫外線照射量を変える方法を説明する。多層ディスクにおいては、記録層が形成されている情報記録領域とそうでない領域（「非情報記録領域」と呼ぶ）では、透過率が大きく異なる。このため、樹脂層を形成するたびに、非情報記録領域における樹脂層は、多量の紫外線にさらされることになる。
【００８５】
図８を用いて、非情報記録領域と、紫外線の照射量を変えて情報記録媒体を製造する方法を詳細に説明する。基板８０１の上には、紫外線硬化性樹脂からなる樹脂層８０３、８０５、８０７、および透明層（または保護層）８０９が積層形成され、各樹脂層の間には、第１情報記録層８０２、第２情報記録層８０４、第３情報記録層８０６、第４情報記録層８０８がそれぞれ形成されている。
【００８６】
情報記録層は、金属または誘電体で形成されており、スパッタリング装置を用いて形成される。通常、このスパッタリング装置に基板８０１を設置する場合、金具により基板８０１が固定され、情報記録層が形成されない内周非情報記録領域８１０、情報記録層が形成されない外周非情報記録領域８１２が設けられる。これらの非情報記録領域は、スパッタリング装置内で、基板８０１を固定した結果として形成され、マスク領域と称されることもある。これらの非情報記録領域においては、情報記録層が各樹脂層で包み込まれ、情報記録層が大気および水蒸気と接触することが無い。よって、非情報記録領域は、情報記録層の劣化を防ぐという役割も果たしている。非情報記録領域は、半径約２１ｍｍ〜約５９ｍｍまでの環状領域、および半径約５９ｍｍ〜６０ｍｍまでの環状領域である。
【００８７】
多層情報記録媒体を作製するプロセスでは、各樹脂層の領域によって、吸収される紫外線照射量が異なる。例えば、樹脂層８０３における紫外線による硬化の度合いを考える。樹脂層８０３を硬化するために用いられる紫外線照射量は、全領域で同じである。その後、第２の情報記録層８０４を形成し、樹脂層８０５を硬化するために、紫外線を照射する際には、樹脂層８０３内に照射される光量は、場所によって変わる。これは、第２の情報記録層８０４がマスクとなって、樹脂層８０３の領域８１１には、ほとんど紫外線が照射されないが、樹脂層８０３の内周側の領域８１０及び外周側の領域８１２領域では、上部に情報記録層が無いため、多くの紫外線が照射されることによる。
【００８８】
同様に、樹脂層８０７および透明層８０９を形成する際の紫外線照射量も、それぞれの領域で異なる。また、情報記録層の数が多いほど、情報記録領域８１１の透過率は低下するため、情報記録領域に照射される紫外線照射量と、非情報記録領域に照射される紫外線照射量との差は、より後の樹脂層形成工程において、より大きくなる。
【００８９】
紫外線硬化性樹脂は、紫外線に曝されると架橋が進み、未硬化の液体状の樹脂が硬化する性質を有する。紫外線硬化性樹脂は、完全に硬化が終わった後で過剰の紫外線が照射されると、硬化後の樹脂がもろくなるという性質をまた有している。特に、内周部から転写基板の剥離を行う場合、領域８１０の樹脂がもろくなると、転写基板を剥離する際に欠陥を生じやすくなり、樹脂層の内周側端部が基板から剥離する、または転写基板に付着する可能性が高くなる。
【００９０】
そのような不都合を防止するためには、あらかじめ、内周側の領域８１０に紫外線が過度に照射されないように、紫外線照射量を調整する必要がある。また、外周部から剥離を行う際には、外周側の領域８１２に紫外線が過度に照射されないように、紫外線照射量を調整すればよい。
【００９１】
紫外線照射量は様々な方法で調整され得る。例えば、転写基板側から紫外線を照射する場合、転写基板の透過率を部分的に小さくすることによって、非情報記録領域への紫外線照射量を減らすことが可能である。
【００９２】
図９は、基板に紫外線を照射する工程を模式的に示す。図９（Ａ）において、９０１は紫外線照射装置、９０２は転写基板、９０３は樹脂層、９０４は基板を表している。図９（Ｂ）は、転写基板９０２を紫外線照射装置９０１側から見た俯瞰図である。内周側の領域９０５と外周側の領域９０７は、樹脂層９０３に照射される紫外線照射量を減らすために、金属膜で覆っている。
【００９３】
この金属膜の材料は、特に限定されない。例えば、Ａｇ、Ａｌ、ＮｉまたはＣｕを用いて金属膜を形成できる。金属膜は、樹脂層９０３をアクリル系樹脂で形成する場合には、波長２８０〜３４０ｎｍの光の透過率が、１０〜４０％の範囲内となるように、構成されることが好ましい。この波長領域は、樹脂層９０３に混入している硬化開始剤が作用する、紫外線波長に依存する。また、透過率は、樹脂層９０３に混入している硬化開始剤の量に依存する。上記の樹脂で樹脂層を形成する場合において、上記の波長領域の紫外線が、上記の透過率で、樹脂層９０３に照射されれば、良好な剥離性を確保することができる。透過率が高すぎる場合は、樹脂層９０３の硬化が進み、もろくなるため、欠陥が生じる。また、透過率が低すぎる場合は、樹脂層９０３がゲル状になり、硬化しない。このため、樹脂層９０３の硬化度合いによって、金属膜の透過率を調整する必要がある。
【００９４】
また、本実施の形態では、転写基板に、紫外線照射量を調整する金属膜を形成した。紫外線照射量を調整する手段は金属膜に限定されない。例えば、紫外線照射装置と転写基板の間に別部品を挿入することで、紫外線照射量を調整することも可能である。また、紫外線照射装置本体に、紫外線が照射される領域を制限する部材を取り付けてよい。
【００９５】
（実施の形態４）
実施の形態４として、前記非情報記録領域において、紫外線を照射する領域を、さらに細かく区分して、紫外線を照射することを含む、本発明の情報記録媒体の製造方法を説明する。図１１は、本発明の記録媒体の一形態を示す断面図と、その媒体の非情報記録領域において、紫外線照射量の異なる領域が存在することを示すグラフを示す。
【００９６】
非情報記録領域をさらに区分する必要性を、図１１を参照して説明する。図１１に示す構成の三層の樹脂層を形成する際は、第１樹脂層２００１のどの部分においても、同じ量の紫外線が照射される。次に、第２樹脂層２００２となる紫外線硬化性樹脂を塗布し、紫外線を照射すると、第２樹脂層がマスクとなるため、図中の領域Ａに照射される紫外線照射量の総量は、図中の領域Ｂに照射される紫外線照射量の総量よりも多くなる。さらに、第３層樹脂層２００３となる紫外線硬化性樹脂を塗布し、紫外線を照射すると、第２樹脂層に加えて、第３樹脂層もマスクとなるため、図中の領域Ｃに照射される紫外線照射量の総量は、最も少なくなる。図中の領域Ａは、樹脂層のマスクがないため、第１樹脂層を形成するときに照射された紫外線照射量の３倍の紫外線にさらされることとなる。
【００９７】
各領域の紫外線照射量を、図１１に模式的に示す。図示するように、領域Ａ、ＢおよびＣにおける、紫外線照射量は、第３樹脂層を形成した段階で、相当に異なる。図１１に示すグラフは概念的なものであり、各領域の紫外線照射量は、第２樹脂層および第３樹脂層の厚さおよび紫外線透過性によって異なる。
【００９８】
このように、各領域の紫外線照射量が異なると、紫外線照射量の最も多い領域Ａの樹脂がもろくなり、剥がれ落ちる可能性がある。これは、記録媒体の欠陥となる。この欠陥の発生を防止するため、領域Ａのように紫外線照射量が累積的に多くなる部分は、マスクで覆って、紫外線照射量を小さくすることが好ましい。たとえば、第１樹脂層〜第３樹脂層の形成が終了したときに、すべての領域で紫外線照射量が同じになるように、領域Ａの上方には、最も透過率の低いマスクを用い、領域Ｂの上方には領域Ａの上方にあるマスクよりも、透過率の高いマスクを使用することが好ましい。このように、各領域での紫外線照射量を同じレベルにすると、紫外線が過度に照射される領域を無くすことができ、全体として均一な樹脂層の積層体を形成することができる。
【００９９】
マスクは、先に説明したように、転写基板に形成された金属膜であってよい。あるいは、紫外線照射装置と転写基板の間に別部品を挿入することで、紫外線照射量を調整することも可能である。また、紫外線照射装置本体に、紫外線が照射される領域を制限する部材を取り付けてよい。
【産業上の利用可能性】
【０１００】
本発明の多層情報記録媒体及びその製造方法は、欠陥が少ない多層記録媒体を高速で製造することを可能とし、正確に大容量情報を光学的に再生可能な多層型の光ディスク（例えば、デジタル多用途ディスク（ＤＶＤ）およびブルーレイディスク）およびその製造方法として有用である。また、本発明は、大容量メモリーの製造等の用途にも応用できる。
【図面の簡単な説明】
【０１０１】
【図１】（Ａ）〜（Ｃ）は、本発明の記録媒体の製造過程において転写基板を剥離する工程を示す断面図である。
【図２】従来の多層情報記録媒体を示す断面図である。
【図３】本発明の多層情報記録媒体を示す断面図である。
【図４】（Ａ）〜（Ｄ）はスクリーン印刷による樹脂層の形成方法を示す断面図である。
【図５】（Ａ）はスクリーンの模式図であり、（Ｂ）は樹脂塗布領域を示す平面図である。
【図６】（Ａ）〜（Ｄ）は、樹脂層と転写基板とを貼り合わせる工程を示す断面図である。
【図７】（Ａ）および（Ｂ）はそれぞれ、本発明の多層情報記録媒体の一例を示す断面図である。
【図８】（Ａ）は情報記録領域と非情報記録領域を示す断面図であり、（Ｂ）は、情報記録領域と非情報記録領域を示す平面図である。
【図９】（Ａ）は紫外線を照射する工程を示す模式図であり、（Ｂ）はマスクを設けた転写基板を示す俯瞰図である。
【図１０】（Ａ）〜（Ｆ）はそれぞれ、本発明の記録媒体の一例を示す断面図である。
【図１１】本発明の記録媒体の一例を示す断面図と、その媒体の非情報記録領域において、紫外線照射量の異なる領域が存在することを示すグラフを示す。
【符号の説明】
【０１０２】
１０１    テーブル
１０２    基板
１０３    吸着アーム
１０４    紫外線硬化性樹脂
１０５    転写基板
１０６    剥離ピン
１０７    エアブロー突出口
１０８    内周側端部
１０９    紫外線硬化性樹脂
１１０    内周側端部
１１１    転写基板
１１２    基板
【手続補正３】
【補正対象書類名】図面
【補正対象項目名】全図
【補正方法】変更
【補正の内容】
【図１】
2008059676.tif 000014
【図２】
2008059676.tif 000015
【図３】
2008059676.tif 000016
【図４】
2008059676.tif 000017
【図５】
2008059676.tif 000018
【図６】
2008059676.tif 000019
【図７】
2008059676.tif 000020
【図８】
2008059676.tif 000021
【図９】
2008059676.tif 000022
【図１０】
2008059676.tif 000023
【図１１】
2008059676.tif 000024
【国際調査報告】
2008059676.tif 000025
2008059676.tif 000026
2008059676.tif 000027
2008059676.tif 000028